(57)【特許請求の範囲】
【請求項１】
商品の抽選に参加するための機会を示すメッセージを、複数のユーザーに一斉送信すること、
前記複数のユーザーのうちの１人以上のユーザーからの予約リクエストを受信すること、
受信した前記予約リクエストにおける第１トラフィックパターンを特定した後、前記受信した予約リクエストの収集及び処理を容易にするために１つ以上のリソースモジュールを複製すること、
サプライチェーン管理システムからサプライチェーンデータを取得すること、
計算装置によっておよび在庫データに基づいて、前記商品の需要を示す需要データを決定すること、
前記計算装置によっておよび前記需要データに基づいて、前記商品の在庫の割り当てを調整すること、
前記抽選の１人以上の勝者を決定するために、前記計算装置によって、前記受信した予約リクエスト、前記需要データおよび前記在庫データを処理すること、及び
前記抽選の前記１人以上の勝者に関連する複数の電子機器に、通知を送信すること、を含む、計算装置によって行われる方法。
【請求項２】
第１ユーザーの予約リクエスト履歴を表すデータを取り込むこと、及び
前記取り込まれたデータに少なくとも部分的に基づいて、前記第１ユーザーに対する商品推奨提案を生成すること、を更に含む、請求項１に記載の方法。
【請求項３】
前記受信した予約リクエスト、前記需要データおよび前記在庫データの処理をすることは、
所定の期間内に閾値数の予約リクエストを受信したかどうかを判定することを更に含む、請求項１に記載の方法。
【請求項４】
前記１人以上の勝者に基づいて、前記商品の更新された在庫データを決定すること、
前記更新された在庫データを、小売店舗に位置する計算装置へ送信することを含む、請求項１に記載の方法。
【請求項５】
前記１人以上のユーザー中、前記メッセージを受信する少なくとも第１ユーザーを、該第１ユーザーが活動の主要管理点を達成していることに少なくとも部分的に基づいて、選択的に識別することを更に含む、請求項１に記載の方法。
【請求項６】
前記活動の主要管理点は、活動ポイントの第１閾値レベル又は運動活動の第１閾値レベルのうちの少なくとも１つを超過することを含む、請求項５に記載の方法。
【請求項７】
前記複数のユーザー中の第１ユーザーが前記複数のユーザー中の第２ユーザーへ活動の挑戦を行ったことを判断すること、
前記活動の挑戦の勝者を決定すること、
前記活動の挑戦の勝者から第１予約リクエストを受け取ることを更に含む、請求項１に記載の方法。
【請求項８】
前記方法であって、
前記１人以上のユーザー中、前記メッセージを受信する少なくとも第１ユーザーを、該第１ユーザーの第１所在地に対する閾値近接性に少なくとも部分的に基づいて、選択的に識別することを更に含む、請求項１に記載の方法。
【請求項９】
前記メッセージは、ソーシャルネットワーキングサービスを介して一斉送信される、請求項１に記載の方法。
【請求項１０】
前記受信した予約リクエストを処理することは、
前記１人以上のユーザーから入手した運動活動データに少なくとも部分的に基づいて、ユーザーをランク付けすることを更に含む、請求項１に記載の方法。
【請求項１１】
前記受信した予約リクエストを処理することは、
前記複数のユーザーに関連する運動活動データを得ること、及び
前記抽選の１人以上の勝者を決定するために、前記得られた運動活動データに少なくとも部分的に基づいて前記受信した予約リクエストを処理することを、更に含む、請求項１に記載の方法。
【請求項１２】
実行されると計算装置に複数のモジュールを介して機能を実行させるコンピュータ実行可能命令にてプログラムされた１つ以上のプロセッサを備え、前記複数のモジュールは少なくとも、
商品の抽選に参加するための機会を示すメッセージを、複数のユーザーに対して一斉送信開始するようプログラムされた商品予約モジュール、
前記複数のユーザーのうちの１人以上のユーザーから、予約リクエストを受信するようプログラムされた予約リクエスト収集モジュール、及び
サプライチェーン管理システムからサプライチェーンデータを取得し、在庫データに基づいて前記商品の需要を示す需要データを決定し、前記需要データに基づいて前記商品の在庫の割り当てを調整し、前記抽選の１人以上の勝者を決定するために、前記受信した予約リクエスト、前記需要データおよび前記在庫データを処理するようプログラムされた予約リクエスト処理モジュール、を備え、
前記商品予約モジュールは、前記抽選の前記１人以上の勝者に関連付けられた複数の電子機器に、通知を送信するよう更にプログラムされ、
前記コンピュータ実行可能命令は、実行されると、前記計算装置に、受信した前記予約リクエストにおける第１トラフィックパターンを特定した後、前記受信した予約リクエストの収集および処理を容易にするために１つ以上のリソースモジュールを複製させる、商品予約システム。
【請求項１３】
前記予約リクエスト処理モジュールは、
前記１人以上のユーザー中、前記メッセージを受信する少なくとも第１ユーザーを、前記第１ユーザーに関連する運動活動データに少なくとも部分的に基づいて、選択的に識別し、前記抽選の１人以上の勝者を決定するために、前記第１ユーザーに関連する前記運動活動データに少なくとも部分的に基づいて、前記受信した予約リクエストを処理するよう更にプログラムされている、請求項１２に記載の商品予約システム。
【請求項１４】
前記予約リクエスト処理モジュールは、
前記１人以上のユーザーから入手した運動活動データに少なくとも部分的に基づいて、ユーザーをランク付けするよう更にプログラムされている、請求項１２に記載の商品予約システム。
【請求項１５】
前記予約リクエスト処理モジュールは、
第１予約リクエストにおいて受信した少なくとも１つの商品属性を、前記商品の入手可能な在庫の商品属性と比較するよう更にプログラムされている、請求項１２に記載の商品予約システム。
【発明の詳細な説明】
【技術分野】
【０００１】
（関連出願の相互参照）
本出願は、２０１５年１月２３日付けで出願された、「オンライン商品予約システム」と題する米国仮特許出願第６２／１０７１４３号の利益及び優先権を主張し、この米国仮特許出願の内容は、ありとあらゆる限定されない目的のため全体として参照によって明確に本書に組み込まれる。
【背景技術】
【０００２】
入手できる数に限りのある商品を店が販売するということが、広く行われている。例えば、会社又は店が、コレクターが探し求めるような限定版商品を製造するという場合があり得る。最初の商品提供の一部である新商品を販売する店は、入手可能な商品数よりも多くの消費者がいるということを見出す場合があり得る。入手できる数に限りがある商品を求める消費者が、かなりの長時間にわたって、実際の店舗の前に行列する場合もあり得る。消費者の中には、入手できる数に限りがある商品を手に入れることを望んで、開店前に店舗の外に野宿をして数時間を費やす者もいる。同様の事態は、消費者がイベントやサービスの予約を入れようと試みる場合にも起こり得る。
【０００３】
入手できる数に限りがある商品を手に入れようと望んで長い行列に並ぶというのは、消費者にとってネガティブな買い物経験となってしまう可能性がある。このことは、荒れた天気の中で消費者が実店舗の外で待たなければならないという場合に、特に当てはまるものである。もちろん、消費者の中には、待たされた挙句に商品を手にできないという人もいる。ネガティブな買い物経験の結果、消費者が特定の店やメーカーの商品を、以後、購入したくなくなるという可能性もある。
【発明の概要】
【発明が解決しようとする課題】
【０００４】
したがって、当該技術においては、入手できる数に限りがある商品を消費者にマッチさせるシステム及び方法を改善することへの需要が存在する。
【課題を解決するための手段】
【０００５】
以下に、本開示の一部の態様に対する基本的な理解を提供するため、その簡潔な概要を提示する。以下に示す概要は、本開示の広い範囲に及ぶ概要を示すものではない。また以下に示す概要は、本開示のキーとなる又は非常に重要な要素を特定することを意図するものではなく、本開示の範囲の輪郭を描こうと意図するものでもない。以下に示す概要は、本開示のコンセプトの一部を簡潔な形で、後出の説明の導入部として、単に表したものである。
【０００６】
入手できる数に限りがある商品、サービス、及び／又はイベントを予約するためのシステム及び方法が提供される。ソーシャルネットワーキングサービスが、入手できる数に限りのある商品、イベント、及び／又はサービスの予約が可能になったこと、及び／又は発売日を告知するために用いられ得る。告知は、消費者の知らない時間に行われてもよい。消費者は、ソーシャルネットワーキングサービスを介して告知に応答し得る。告知は、ユーザーが、入手できる数に限りのある商品、イベント、及び／又はサービスの抽選に参加し得るウェブサイトへのリンクを含み得る。ユーザーは、そのウェブサイトに誘導された後、例えば支払い方法や望む商品に関する情報のような、ある特定の情報を提供することが求められる場合があり得る。
【０００７】
本明細書における開示の一部の態様においては、消費者は、抽選に参加して予約リクエストを提出するために使うことのできる時間が限られているという場合があり得る。例えば、消費者は、抽選開始後、１０分以内に予約リクエストを出さなければならない場合があり得る。本明細書における開示の別の態様においては、消費者は、商品、イベント、又はサービスが入手可能である場合にのみ、抽選に勝利し得る。例えば、５０個の商品しか入手可能でない場合には、予約リクエストを提出した５０人の消費者のみが、抽選に勝利する機会を得る。
【０００８】
一部の実施形態は、例えば、コンピュータ実行可能な命令若しくはモジュールを記憶することにより、又はコンピュータ読み取り可能なデータ構造体を利用することにより、コンピュータ読み取り可能な媒体を用いて部分的又は完全に実施され得る。当然ながら、上記実施形態の方法及びシステムは、他の付加的な要素、ステップ、コンピュータ実行可能な命令、又はコンピュータ読み取り可能なデータ構造体も含むことがある。
【０００９】
以上の及びその他の実施形態は、添付図面及び以下の説明により示される。他の特徴及び利点は、説明及び図面と、請求項とから明らかとなるであろう。
【図面の簡単な説明】
【００１０】
本開示は、あくまでも例として図示されており、付属の図に限定されるものではなく、また図面では同様の参照番号が同様の要素を示している。
【図１】本開示の諸態様を実施するために用いられ得る、計算装置の１つの例を図示している。
【図２】実施形態の１つの例による、商品予約システムを実施するために用いられ得る、インフラストラクチャを図示している。
【図３】実施形態の１つの例による、商品予約プロセスを図示している。
【図４】本開示の諸態様を実施するために用いられ得る、商品予約システムの１つの例を図示している。
【図５】本開示の諸態様による、ユーザーインターフェイス画面の例を図示している。
【図６】本開示の諸態様による、ユーザーインターフェイス画面の例を図示している。
【図７】本開示の諸態様による、ユーザーインターフェイス画面の例を図示している。
【図８】本開示の諸態様による、ユーザーインターフェイス画面の例を図示している。
【図９】本開示の諸態様による、ユーザーインターフェイス画面の例を図示している。
【図１０Ａ】本開示の諸態様による、ユーザーインターフェイス画面の例を図示している。
【図１０Ｂ】本開示の諸態様による、ユーザーインターフェイス画面の例を図示している。
【図１１】本開示の諸態様による、ユーザーインターフェイス画面の例を図示している。
【図１２】本開示の諸態様による、ユーザーインターフェイス画面の例を図示している。
【図１３】本開示の諸態様による、ユーザーインターフェイス画面の例を図示している。
【図１４】本開示の諸態様による、ユーザーインターフェイス画面の例を図示している。
【図１５】本開示の諸態様による、ユーザーインターフェイス画面の例を図示している。
【図１６Ａ】本開示の諸態様による、携帯デバイス上のユーザーインターフェイス画面の例を図示している。
【図１６Ｂ】本開示の諸態様による、携帯デバイス上のユーザーインターフェイス画面の例を図示している。
【図１７】本開示の諸態様による、携帯デバイス上のユーザーインターフェイス画面の例を図示している。
【図１８Ａ】本開示の諸態様による、携帯デバイス上のユーザーインターフェイス画面の例を図示している。
【図１８Ｂ】本開示の諸態様による、携帯デバイス上のユーザーインターフェイス画面の例を図示している。
【図１８Ｃ】本開示の諸態様による、携帯デバイス上のユーザーインターフェイス画面の例を図示している。
【図１９Ａ】本開示の諸態様による、携帯デバイス上のユーザーインターフェイス画面の例を図示している。
【図１９Ｂ】本開示の諸態様による、携帯デバイス上のユーザーインターフェイス画面の例を図示している。
【図１９Ｃ】本開示の諸態様による、携帯デバイス上のユーザーインターフェイス画面の例を図示している。
【図１９Ｄ】本開示の諸態様による、携帯デバイス上のユーザーインターフェイス画面の例を図示している。
【図１９Ｅ】本開示の諸態様による、携帯デバイス上のユーザーインターフェイス画面の例を図示している。
【図２０】本開示の諸態様による、携帯デバイス上のユーザーインターフェイス画面の例を図示している。
【図２１】本開示の諸態様による、携帯デバイス上のユーザーインターフェイス画面の例を図示している。
【図２２Ａ】本開示の諸態様による、携帯デバイス上のユーザーインターフェイス画面の例を図示している。
【図２２Ｂ】本開示の諸態様による、携帯デバイス上のユーザーインターフェイス画面の例を図示している。
【図２２Ｃ】本開示の諸態様による、携帯デバイス上のユーザーインターフェイス画面の例を図示している。
【図２２Ｄ】本開示の諸態様による、携帯デバイス上のユーザーインターフェイス画面の例を図示している。
【図２３】本開示の諸態様による、携帯デバイス上のユーザーインターフェイス画面の例を図示している。
【図２４Ａ】本開示の諸態様による、携帯デバイス上のユーザーインターフェイス画面の例を図示している。
【図２４Ｂ】本開示の諸態様による、携帯デバイス上のユーザーインターフェイス画面の例を図示している。
【図２４Ｃ】本開示の諸態様による、携帯デバイス上のユーザーインターフェイス画面の例を図示している。
【図２４Ｄ】本開示の諸態様による、携帯デバイス上のユーザーインターフェイス画面の例を図示している。
【図２５Ａ】本開示の諸態様による、携帯デバイス上のユーザーインターフェイス画面の例を図示している。
【図２５Ｂ】本開示の諸態様による、携帯デバイス上のユーザーインターフェイス画面の例を図示している。
【図２５Ｃ】本開示の諸態様による、携帯デバイス上のユーザーインターフェイス画面の例を図示している。
【発明を実施するための形態】
【００１１】
以下の様々な実施形態の説明において、開示が実施され得る様々な実施形態が実例として示されている、本明細書の一部をなす添付図面が参照される。その他の実施形態を利用することができ、本開示の範囲及び趣旨から逸脱することなく構造的変更及び機能的変更を加えることができることを理解されたい。更に、本開示内の項目は、本開示の限定的な態様として考慮されるべきではない。本開示の恩恵を受ける当業者らは、例示的実施形態が例示的項目に限定されないことを理解するだろう。
【００１２】
図１は、本開示の諸態様を実施するために用いられ得る、例示的コンピュータ１０１を図示している。コンピュータ１０１は、少なくとも１つの処理ユニット１０５を備え得る、計算ユニット１０３を含み得る。処理ユニット１０５は、例えばマイクロプロセッサデバイスのような、ソフトウェア命令を実行するための任意のタイプの処理デバイスであり得る。コンピュータ１０１は、例えばメモリ１０７のような、さまざまな非一時的コンピュータ読み取り可能媒体を含み得る。メモリ１０７としては、例えばＲＡＭ  １１１のようなランダムアクセスメモリ（ＲＡＭ）、及び／又は、例えばＲＯＭ  １０９のような読み出し専用メモリ（ＲＯＭ）が挙げられ得るが、それらに限られない。メモリ１０７は、電気的消去可能プログラマブル読み出し専用メモリ（ＥＥＰＲＯＭ）、フラッシュメモリ、若しくは他のメモリ技術、読み出し専用コンパクトディスク、デジタル汎用ディスク（ＤＶＤ）、若しくは他の光ディスクストレージ、磁気ストレージ装置、又は所望の情報を格納するために使用することができ、かつコンピュータ１０１がアクセスすることができる任意の他の媒体、のいずれかを含み得る。
【００１３】
処理ユニット１０５及びシステムメモリ１０７は、直接的又は間接的に、バス１１３又はそれに代わる通信構造を介して、１つ以上の周辺機器に接続され得る。例えば、処理ユニット１０５又はシステムメモリ１０７は、直接的又は間接的に、例えばハードディスクドライブ１１７、取り外し可能な磁気ディスクドライブ、光ディスクドライブ１１９、及びフラッシュメモリカードのような、追加的メモリ記憶装置に接続され得る。処理ユニット１０５及びシステムメモリ１０７はまた、直接的又は間接的に、１つ以上の入力装置１２１及び１つ以上の出力装置１２３に接続され得る。出力装置１２３の例としては、例えば、ディスプレイ装置、テレビ、プリンター、ステレオ装置、又はスピーカーが挙げられ得る。幾つかの実施形態では、１つ以上のディスプレイ装置が、アイウェアに組み込まれ得る。アイウェアに組み込まれたディスプレイ装置は、ユーザーにフィードバックを提供し得る。１つ以上のディスプレイ装置を組み込んでいるアイウェアはまた、ポータブルディスプレイシステムも提供する。入力装置１２１の例としては、例えば、キーボード、タッチスクリーン、リモートコントロールパッド、ポインティング装置（マウス、タッチパッド、スタイラス、トラックボール、又はジョイスティックなど）、スキャナー、カメラ、又はマイクが挙げられ得る。
【００１４】
コンピュータ１０１、計算ユニット１０３、及び／又は任意の他の電子機器が、直接的又は間接的に、例えばネットワーク１３２のようなネットワークとの通信用の、例示的インターフェイス１１５のような１つ以上のネットワークインターフェイスに接続され得る。図１の例においては、ネットワークインターフェイス１１５は、例えば伝送制御プロトコル（ＴＣＰ）、インターネットプロトコル（ＩＰ）、及びユーザーデータグラムプロトコル（ＵＤＰ）のような１つ以上の通信プロトコルにしたがって、計算ユニット１０３からのデータ及び制御信号をネットワークメッセージに変換するよう構成された、ネットワークアダプタ又はネットワークインターフェイスカード（ＮＩＣ）を備え得る。これらのプロトコルは、当該技術分野において周知であり、したがって本明細書では詳しく論じない。インターフェイス１１５は、ネットワークに接続するための任意の好適な接続エージェントを使用し得るが、その例としては、無線トランシーバー、電力線アダプター、モデム、又はイーサネット接続が挙げられる。しかしながらネットワーク１３２は、インターネット（複数可）、イントラネット（複数可）、クラウド（複数可）、ＬＡＮ（複数可）など、任意のタイプ（複数可）又はトポロジー（複数可）の、任意の１つ以上の情報配信ネットワーク（複数可）を、単独で又は組み合わせて（複数可）用いたものであり得る。ネットワーク１３２は、ケーブル、ファイバー、衛星、電話、携帯電話、無線等のうちのいずれか１つ以上のものであり得る。ネットワークは、当該技術分野において周知であり、したがって本明細書では詳しく論じない。ネットワーク１３２は、さまざまに構成され得るが、その例としては、１つ以上の場所（例えば、学校、会社、家庭、消費者住居、ネットワークリソース等）を、１つ以上のリモートサーバ、又は例えば、コンピュータ１０１と類似又は同じ他のコンピュータと接続するための１つ以上の有線又は無線通信チャネルを有するように構成され得る。実際には、システムは、それぞれの構成要素の実例を１つ以上（例えば、１つ以上のコンピュータ１０１、１つ以上のディスプレイ等を）含み得る。
【００１５】
コンピュータ１０１又はネットワーク１３２内に存在するその他の電子機器が移動可能であるか、ある場所に固定されたものであるかに関わらず、計算装置は、直接的に又はネットワーク１３２を介して、既に具体的に挙げたような、入力用、出力用、記憶用の周辺機器に加えて、入力機能、出力機能、記憶機能、又はそれらの機能を組み合わせた機能を果たし得る機器類を含む、さまざまなその他の周辺機器類に接続され得るということが理解されるべきである。
【００１６】
図２は、実施形態の１つの例による、商品予約システムを実施するために用いられ得る、インフラストラクチャを図示している。商品予約プラットフォーム２０２は、メッセージを生成し、リクエストを処理するために用いられ得る。商品予約プラットフォーム２０２は、例えば店又は企業のような実在主体により運用されるサーバー上に置かれ得る。商品予約プラットフォーム２０２は、ソーシャルネットワーキングサービス２０４を用いて、メッセージを消費者２０６ａ〜２０６ｅに一斉送信し得る。ソーシャルネットワーキングサービスの例としては、ツイッター、フェイスブック、及びグーグル＋が挙げられる。一部の実施形態においては、ソーシャルネットワーキングサービス２０４は、メッセージを複数の消費者に一斉送信するため、及びメッセージを個々の消費者と交換するための両方の目的で用いられ得る。例えば、ツイッターにより、ユーザーは、そのツイートソースをフォローするフォロワー全員に一斉送信されるツイートを作成することが可能になる。またツイッターにより、関係当事者同士で、他のフォロワーとは共有されない直接的なメッセージを交換することが、例えばダイレクトメッセージを介して可能となっている。メッセージの一斉送信及びメッセージの交換は、例えばインターネットのような広域ネットワーク２０８上で行われ得る。また通信リンクには、例えば無線キャリア２１０のような、１つ以上の無線キャリアが含まれ得る。一部の実施形態には、広域ネットワークに接続された無線キャリアが含まれ得る。
【００１７】
消費者は、一斉送信されたメッセージを受け取ったり、メッセージを交換したりするために、さまざまなデバイスを使用し得る。移動端末２０６ａ及び２０６ｂは、スマートフォンによって実施され得るが、広域ネットワーク２０８に無線キャリア２１０を介して接続され得る。デスクトップコンピュータ２０６ｃ及び２０６ｄは、広域ネットワーク２０８に、イーサネット接続又は他の従来型接続を介して接続され得る。タブレット型装置２０６ｅは、広域ネットワーク２０８に、ＷｉＦｉ又は他の従来型無線プロトコルを用いて接続され得る。
【００１８】
図２に示すように、商品予約プラットフォーム２０２は、入手できる数に限りのある商品が入手可能となっている旨を告知するメッセージを、複数の消費者に対して一斉送信し得る。一斉送信を実行する時間は、コンピュータデバイスにより選択される、ランダム又は疑似ランダムな時間であり得る。あるいは、イベントの時間もまた、イベント又は売り出しプランナーにより選択され得る。一斉送信は、一部の人間には知られているタイミングであって、例えば消費者のような想定される受信者には知られていないタイミングで行われる場合もあり得る。一斉送信されるメッセージには、限定商品、イベント、又はサービスを提供するウェブサイトへのリンクが含まれ得る。例えば、一斉送信されたメッセージに含まれるハイパーリンクは、消費者が、限定商品、イベント、及び／又はサービスの抽選に参加し得るウェブサイト（例えば、限定商品、イベント、及び／又はサービスを提供する実在主体のウェブサイト）に、消費者を誘導し得る。消費者が一斉送信されたメッセージを受信した後で、消費者はメッセージに含まれたリンクを選択することによって応答し、抽選会を催しているウェブサイトへと導かれ、商品予約プロセスを継続する場合があり得る。本明細書の開示の一部の態様においては、商品予約プラットフォーム２０２は、消費者が一斉送信されたメッセージに応答した旨を示す通知を受信し得る。商品予約プラットフォームに送信される通知には、商品予約プラットフォームが、一斉送信されたメッセージに応答した１人以上の消費者を追跡し得るような、例えばユーザー名又はなんらかの他の固有の識別子のようなユーザー情報が含まれ得る。
【００１９】
後程詳しく説明するように、消費者は、予約リクエストを、ウェブサイトを介して商品予約プラットフォーム２０２に提出することにより、限定商品、イベント、及び／又はサービスの抽選に参加し得る。商品予約プラットフォーム２０２は、複数のユーザーから複数の予約リクエストを同時に受信するように構成され得る。一部の実施形態においては、商品予約プラットフォーム２０２は、予約リクエストを、先着順に処理し得る。本明細書の開示の一部の態様においては、商品予約プラットフォーム２０２は、所定の数の予約リクエストを受信してから、それらの受信した予約リクエストを処理するようになっている場合があり得る。例えば、商品予約プラットフォームは、ある最小の数の予約リクエストが提出されるまで、予約リクエストの処理を開始せずに待機するようになっている場合があり得る。本明細書の開示の別の態様においては、商品予約プラットフォーム２０２は、所定の時間枠内又は時間窓内でのみ、消費者からの予約リクエストを受け付ける場合があり得る。例えば、商品予約プラットフォームは、所定の日付の所定の時刻からの、１０分間の時間窓にわたってのみ、消費者からの予約リクエストを受け付ける場合があり得る。ある限定商品の抽選が催される日時（例えば、商品予約プラットフォームが、当該商品への予約リクエストの受け付けを開始し得る日時）は、消費者に対して一斉送信されたメッセージ内に提供される場合があり得る。他の例示的実施形態においては、抽選の期間が、消費者に対して一斉送信されたメッセージ内に提供される場合があり得る。
【００２０】
一部の実施形態においては、商品予約プラットフォーム２０２は、ユーザーが予約リクエストを提出した後で、予約リクエストが受信された旨を示すメッセージ（例えば、ＳＭＳメッセージ、電子メール等）を、消費者に対して送信するよう構成され得る。抽選セッションの終了後、商品予約プラットフォームは、提出された予約リクエストを処理して、どのユーザーに限定商品、イベント、又はサービスを購入する機会が与えられるかを決定（例えば、どのユーザーが抽選に勝ったかを決定）し得る。商品予約プラットフォームが、どのユーザーが抽選に勝つのかを決定し得る、さまざまなやり方が存在する。例えば、後程詳しく説明するように、商品予約プラットフォームは、ユーザーにより提出された予約リクエストをランク付けし、最も高いランクのユーザーから抽選に勝利するようにし得る。一部の例においては、商品予約プラットフォームは、予約リクエストを、例えば、予約リクエストに含まれる情報、消費者に関連付けられたアカウント内に保存されている情報などのさまざまなタイプの情報に基づいてランク付けし得る。
【００２１】
別の例としては、商品予約プラットフォームは、ある特定の商品に対して予約リクエストを提出した複数のユーザーからユーザーをランダムに選出し得る。商品予約プラットフォームは、入手可能な限定商品の数に基づいて、所定の数のユーザーをランダムに選択し得る。本明細書の開示の一部の態様においては、商品予約システムは、予約リクエストを提出しているユーザーを、ランダムな選択を実行する前に、異なるグループに区分けする場合があり得る。例えば、商品予約プラットフォームは、地理的な所在地（例えば郵便番号）、好ましい配送場所、又はユーザーのアカウントからアクセスできる、又は予約リクエスト内に含まれる他の情報に基づいて、ユーザーをグループ分けし得る。商品予約プラットフォームは、ランダムな選択の勝者を決める際に、そこから選択するユーザーの集団を狭めるために、上のような情報を使用する場合があり得る。例えば、商品予約プラットフォームは、特定の店舗で入手可能な限定商品の抽選会を、予約リクエストを提出した際に、当該店舗を好ましい配送地として指定したユーザーのみに制約する場合があり得る。
【００２２】
更に別の例としては、商品予約プラットフォームは、特定の店舗で入手可能な限定商品の抽選会を、当該店舗からある閾値近接性（例えば１６ｋｍ（１０マイル）、８０ｋｍ（５０マイル）など）内に住んでいるユーザーに制約する場合があり得る。この例においては、商品予約プラットフォームは、抽選の勝者をランダムに選択する前に、店舗の所在地を、ユーザーの所在地情報（例えば、郵便番号、住所、など）と比較する場合があり得る。予約リクエストを処理し、抽選の勝者が決まった後で、商品予約プラットフォームは、限定商品を購入する権利を成功裏に予約できたユーザー（例えば、抽選に勝利したユーザー）に、メッセージを送信する場合があり得る。追加的又は代替的に、商品予約プラットフォームは、その商品を予約することができなかった消費者に、メッセージを送信し得る。
【００２３】
商品予約プラットフォーム２０２は、マーケティングキャンペーンに関連した様々な機能を果たし得る。例えば、プラットフォームは、消費者に対してソーシャルメディアを通じて一斉送信するメッセージを作成し、スケジューリングするのに加えて、売り出しの詳細を取り込んだり実現したりするために用いられ得る。またプラットフォームは、予約の確認及び予約の失敗を追跡し、総合的な予約分析を提供するためにも用いられ得る。また商品予約プラットフォーム２０２は、予約プロセスの乱用を防止するロジックをも含み得るが、その例としては予約リクエスト及び／又は商品購入に対する制限（例えば、１人につき１つ）を設定すること；予約コードを発行すること；及び、消費者が商品の受け取りや購入の場所を確認するための情報を取り込み／保存することなどがあり得る。また商品予約プラットフォーム２０２は、告知メッセージの高度に標的化された区分けの実行をサポートする顧客データ管理システムと統合されている場合があり得る。商品売り出しに対して消費者が予め登録をし、好ましい商品属性及び／又は関心事を指定する、忠誠プログラムが開始され得る。
【００２４】
図３は、実施形態の１つの例による、商品予約プロセスを図示している。さまざまな実施形態においては、図３に示されているステップの一部又は全部が、図２に示されている商品予約プラットフォーム２０２によって実施され得る。まず、ステップ３０２では、メッセージソースが複数の消費者に対して、ある限定商品の抽選会が開始される旨告知するメッセージを一斉送信する。一斉送信されるメッセージは、ソーシャルネットワーキングサービスを介して送信され得る。この一斉送信は、予め告知された時間内の、前記複数の消費者には知られていない、具体的に指定された時刻に実施され得る。例えば、ある実在主体（例えば、商品の製造業者、小売店など）が、ある特定の日のある特定の時刻にある商品の抽選に参加できる旨告知するメッセージを、一斉送信するという情報を消費者に伝え得る。その実在主体は次に、抽選の日の内に、又は抽選に先立つ任意の他の時刻に、ランダムな又は擬似ランダムなタイミングで一斉送信されるメッセージを送信し得る。代替的には、その実在主体は、メッセージを、消費者には知られていない所定の時刻に送信し得る。また商品予約システムは、商品の抽選を告知するメッセージの一斉送信に先立って、リマインダーメッセージを一斉送信し得る。
【００２５】
一部の実施形態においては、一斉送信されたメッセージは、ユーザーが商品の抽選に参加するために必要な情報を具体的に特定し得る。上記の必要な情報には、ユーザーが商品の抽選に参加する際、及びユーザーが予約リクエストを提出する際に、ユーザーが提供することを求められ得る、固有のコード又はフレーズが含まれ得る。別の実施形態においては、一斉送信されたメッセージは、提供されている限定商品に関する商品情報を具体的に特定し得る。例えば、メッセージには、商品名、商品色、商品サイズ、及び抽選中に入手可能とされる限定商品を説明するのに用いられる任意の他の情報が含まれ得る。またメッセージは、ユーザーが予約リクエストを提出し得る抽選会を開催するウェブサイトを具体的に特定し得る。例えば、一斉送信されたメッセージは、ユーザーが商品の抽選に参加し得るウェブサイトへのハイパーリンクを含み得る。先に告知された時間内であって、抽選会の開始を告知するメッセージの一斉送信に先立って、１つ以上の広告メッセージもまた送信され得る。
【００２６】
商品予約システムは、ユーザーのオンラインコミュニティアカウント内に保存されている情報に基づいて、限定商品を予約及び又は購入するための機械を示す通信文を、選択的に送信（例えば、一斉送信）し得る。本開示の範囲から逸脱することなく、システムが、ユーザーのオンラインコミュニティアカウント（例えば、ナイキプロフィール／アカウント）内に保存されているデータ（例えば、運動活動データ）に基づいて、ユーザーに通信文を選択的に送り得る、さまざまな方法が存在する。例えば、システムは、ソーシャルネットワーキングウェブサイトを介して、通信文（例えば、ツイート、投稿、など）を、１つ以上の運動活動主要管理点を達成したユーザーに対して、選択的に送信（例えば、一斉送信）し得る。別の１つの例として、システムは、運動活動の閾値レベル（例えば、実現された運動活動ポイントの閾値レベル、燃焼したカロリーの閾値数など）を超過したユーザーに、通信文を選択的に送信し得る。一部の実施形態においては、商品予約システムは、ユーザーに対して通信文を、ユーザーのオンラインコミュニティアカウント又はプロフィールに保管されている、商品の好み及び他のユーザーの好みに基づいて、選択的に送信（例えば、一斉送信）し得る。
【００２７】
他の例示的実施形態においては、商品予約システムは、ユーザーに対して通信文を、ユーザーの所在地に基づいて、選択的に送信（例えば、一斉送信）し得る。多くの例示的計算装置（例えば、移動計算装置）は、ＧＰＳ衛星が、移動計算装置の地理学的所在地を具体的に特定するのを可能にする、全地球測位システム（ＧＰＳ）用受信機を含み得る。ユーザーが移動型計算装置を身に着けており、そのため、上の方法によってＧＰＳがユーザーの現在地を特定できるようになっている場合もあり得る。ユーザーの現在地を追跡するのを可能とする機能は、商業的に有用である。例えば、後程詳しく論じるように、ユーザーは、自身が現在存在している地理的エリア向けの商品、イベント、又はサービスを提供する、近く予定されている抽選セッションに関する、所在地特定的情報を提供され得る。更に、ユーザーの所在地は、ＧＰＳ以外の任意の手段により計算されてもよい。ＧＰＳによる所在地追跡は、移動型計算装置に一般的に搭載されている機能であり、当該機能が本明細書において説明される方法及びシステムに含まれることに適するようにするものである。一部の実施形態においては、商品予約システムは、各ユーザーの地理的な所在地に基づいて、近く予定されている抽選に関する通信文を、ユーザーに対して選択的に送信（例えば、一斉送信）し得る。例えば、商品予約システムは、ある特定の地方向けのスポーツイベントのチケットの抽選に関する通信文を、特定の地理的領域に居住又は所在している登録済ユーザーに対して送信し得る。別の例として、商品予約システムは、地元のアスリートのサイン入り、限定フットウェア商品の抽選に関する通信文を、特定の市に居住又は所在している登録済ユーザーに対して送信し得る。
【００２８】
従って、商品予約システムは、ある限定商品が一般のユーザーに入手可能となる前に、特定のユーザーを選択的に、その限定商品を予約及び／又は購入する機会を提供される対象にし得る。商品予約システムは、例えばあるユーザーが予約リクエストを以前に提出した商品の数及び／又はタイプに関する情報（例えば、予約リクエスト履歴）のような、システムにより収集された情報に基づいて、特定のユーザーを選択的に、限定商品を予約及び／又は購入する機会を提供される対象にし得る。追加的に又は代替的に、商品予約システムは、ユーザーの予約リクエスト履歴を用いて、そのユーザーに対する商品推奨提案を生成してもよい。例えば、商品予約システムが、そのユーザーが特定の期間に複数の予約リクエストをフットウェア商品に対して提出したと判定した場合には、商品予約システムは、そのユーザーにより提出された予約リクエストに関連したフットウェア商品に共通する、１つ以上の特性、機能的特徴、及び／又は属性を決定してもよい。例えば、フットウェア商品に関して、商品予約システムは、ユーザーに対して提供されるそれぞれのフットウェア商品の属性及び／又は特性に関するさまざまなタイプの情報を収集し、保存し得るが、そのような属性及び／又は特性には、例えば、色情報、商品タイプ情報（例えば、ミッド、ロー、ハイトップなど）、商品材料情報、商品カスタマイズ情報（例えば、内容、サイズ、場所、色、など）、ロゴ情報（例えば、サイズ、ブランド、場所など）、性能属性（通気性、剛性など）が挙げられる。商品予約システムは、この情報を用いて、類似の特性、機能的特徴、及び／又は属性を有する他のフットウェア商品を、そのユーザーに対して勧め得る。ユーザーに対する商品推奨提案を生成する際には、本開示の範囲から逸脱することなく、任意の数の商品特性、機能的特徴、及び／又は属性が、商品予約システムによって考慮され、処理され得る。
【００２９】
本明細書の開示の別の態様においては、商品予約システムは、限定商品を予約及び／又は購入する機会を受ける前に、ユーザーが完了しなければならない目標、課題、又はタスクを示す通信文を、選択的に送信（例えば、一斉送信）し得る。課題には、特定の時間枠内で完了すべき１つ以上の目標が含まれ得る。課題をクリアするには、その課題を最も速く完了すること、割り当てられた時間内に最も多くのステップを実行すること、最も多くのカロリーを燃焼させること、最も多くの活動ポイント（又はＦＵＥＬ）を獲得することなどの方法が考えられ得る。限定商品を予約及び／又は購入する機会を受ける前に、本開示の範囲から逸脱することなく、ユーザーが完了するよう求められ得るさまざまな目標、課題、又はタスクがある。例えば、ユーザーは、抽選に参加するアクセス権を付与される前に、ある数の運動活動ポイントを獲得すること、あるいは、特定のビデオに則って運動した、ある時間数を登録することを求められ得る。限定商品を提供する実在主体は、ユーザーが完了しなければならない１つ以上のタスクを決定するために、広告会社又は他の第三者と提携してもよい。指定の目標又はタスクを完了すると、ユーザーは、固有のコードを付与されて、抽選に参加するため、抽選を催しているウェブサイトにそのコードを再度入力しなければならないようになっていてよい。
【００３０】
本開示の一部の態様においては、第１ユーザー（又はユーザーグループ）は、第２のユーザー（又はユーザーグループ）に、商品の抽選セッションに参加する機会を賭けて挑戦するようになっていてもよい。商品予約システムは、他の登録済ユーザーに挑戦するためのモジュール、インターフェイス、ダッシュボードなどを提供するようになっているか、それらに動作可能に接続されていてよい。一部の例示的実施形態においては、ユーザーは、ユーザーのオンラインコミュニティアカウント（例えば、ナイキプロフィール／アカウント）により提供されるインターフェイス（又はウェブサイト）を介して、１人以上の他のユーザーに挑戦し得る。ユーザーは、例えば、活動のタイプ、挑戦の開始日、挑戦に勝利するのに必要となる活動の量、その挑戦に参加する別のユーザーなどのような、その挑戦に対して指定されたパラメータを提供するように促され得る。挑戦に参加する人が指定され、挑戦が成立した後、参加者は挑戦中に運動データを収集するための運動モニターデバイスを用い得る。収集された、各参加者の運動データは集計され、各ユーザーのオンラインコミュニティアカウントに保存されるようになっていてよい。
【００３１】
例えば、もしその挑戦が、１６１ｋｍ（１００マイル）を誰が最初に走れるかを決定する競争であるという場合には、各参加者について運動活動データが収集され、ユーザーのオンラインコミュニティアカウント上のインターフェイスを介して表示されるようになっていてよい。インターフェイスは、挑戦開始日以降、その参加者について収集された運動活動データに基づいて、参加者によって完了された総距離値の合計（例えば、走ったマイル数）を表示するようになっていてよい。本明細書の開示の一部の態様においては、インターフェイスは、各参加者の、挑戦の目標に向かっての進行状況を、（例えば、棒グラフを用いて）示すようになっていてよい。ある参加者が、その指定の挑戦距離に匹敵又はそれを超過する、自身の総距離値の合計を有する（かつそれを達成した最初のユーザーである）場合、商品予約システムは、その参加者を当該挑戦の勝者として識別し得る。一部の実施形態においては、挑戦の勝者には、例えば、オンラインコミュニティ内でのより高いユーザーランキング、商品抽選セッションへのアクセスなど、褒賞が与えられてもよい。本明細書における開示の範囲を逸脱することなく、挑戦の勝者は、さまざまなタイプの褒賞を付与され得る。
【００３２】
他の例示的実施形態においては、商品予約システムは、抽選セッションに参加する機会を示す通信文を、特定のユーザーグループに、選択的に送信（例えば、一斉送信）し得る。例えば、商品予約システムは、通信文を、特定のスポーツイベント又はその他の活動に参加するユーザーグループに、選択的に送信（例えば、一斉送信）し得る。そのスポーツイベント（例えば、マラソン、レースなど）への参加者は、そのイベントに登録し、オンラインコミュニティアカウント／プロフィール内で、自身がそのイベントに参加する予定であることを示す場合があり得る。商品予約システムは、ユーザーのアカウント／プロフィール内に含まれるデータに基づいて、特定のユーザーが、そのスポーツイベントに登録し、かつ／又はそのスポーツイベントに参加する予定であるかどうかを判定するよう構成されてもよい。したがって、商品予約システムは、同じスポーツ活動に参加する数名のユーザーを特定し、それらのユーザーにメッセージを選択的に送信するようになっていてよい。別の例としては、商品予約システムは通信文を、商品抽選にこれまで勝利していないユーザーグループに対して、選択的に送信（例えば、一斉送信）し得る。この例では、商品予約システムは、特定のユーザーが、以前に商品抽選に勝利したかどうかを、システムにより収集された予約リクエストデータ履歴に基づいて判定するように構成され得る。
【００３３】
次に、ステップ３０４においては、商品予約システムは、特定の抽選が開始されるべきであるかどうかを判定し得る。商品予約システムは、商品抽選セッションを開始すべきかどうかを判定するために、抽選（例えば、ある商品抽選セッション）の所定の開始時刻を、現在の時刻と比較し得る。一部の実施形態においては、商品予約システムは、ウェブサイト（又は他のユーザーインターフェイス）上に、抽選開始までの残り時間を表示するクロック又はタイマーを表示し得る。商品予約システムが、まだ商品抽選セッションを開始する時刻ではない（例えば、抽選開始には早すぎる）と判定する場合には、システムは、抽選開始のための所定の日付及び／又は時刻まで、待機を続けていてもよい。
【００３４】
商品予約システムが、抽選開始してもよい時刻であると判定した場合には、この方法は、ステップ３０６へと進み、そこで商品予約システムが、１つ以上の限定商品、イベント、及び／又はサービスに対する抽選セッションを開始し得る。商品予約システムは、抽選セッションに参加し、予約リクエストを提出するためのさまざまなインターフェイスをユーザーに提供し得る。例えば、商品予約システムは、抽選のウェブサイトをホストするウェブサーバーと、動作可能に接続され得るか、又は通信可能になっていてよい。ステップ３０６中、商品予約システムは、商品抽選セッションの開始を示すメッセージを、（例えば、ウェブサイト又は何らかの他のインターフェイスを介して）ユーザーに送信し得る。追加的に又は代替的に、商品予約システムは、ユーザーに関連付けられた１つ以上の計算装置又は通信アドレス（又はユーザーアカウント）に、商品抽選セッションの開始を示すメッセージを送信し得る。例えば、商品予約システムは、ユーザーの移動型計算装置に、メッセージを送信し得る。別の例としては、商品予約システムは、ユーザーに関連付けられた電子メールアドレス又はソーシャルネットワーキングアカウントに、メッセージを送信し得る。
【００３５】
本明細書の開示の一部の態様においては、商品予約システムは、その時間内にユーザーが予約リクエストを提出しなければならない応答時間（例えば、１０分間、３０分間、又は、任意のその他の望ましい時間）を、設定し得る。商品予約システムは、例えば、応答時間内に受信した商品予約リクエストのみを受け付けるようになっていてよい。一部の例示的実施形態においては、商品予約システムは、商品抽選セッションの開始時に、商品抽選セッション終了までの残り時間の長さを示すセッションタイマー（又はクロック）を始動させ得る。例えば、商品抽選セッションが１０分間継続する（例えば、ユーザーには、限定商品への予約リクエストを完了するのに１０分間の時間が与えられている）という場合には、セッションタイマーは１０分から０分に向けてカウントダウンし、商品抽選セッションが終わるまでの残り時間を示すようになっていてよい。
【００３６】
ステップ３０８においては、商品予約システムは、予約リクエストを提出しようとしているユーザーが、登録済ユーザーであるかどうかを判定し得る。ステップ３０８中、商品予約システムは、そのユーザーが、限定商品を提供している実在主体に対して、ユーザーアカウント登録を以前にしているかどうかを判定し得る。本明細書の開示の別の態様においては、商品予約システムは、ユーザーにより提供された本人証明（例えば、ユーザー名、パスワードなど）を、登録済ユーザーの本人証明のデータベースと比較して、そのユーザーが、商品予約システムに対して、ユーザーアカウントを以前に登録しているか、かつ／又は新たにユーザーアカウントを作成したかどうかを判定し得る。ユーザーが登録済ユーザーである場合には、ステップ３１２に進んでよい。ユーザーが登録済ユーザーでない場合には、ステップ３１０に進み、商品予約システムが、ユーザーに、ユーザーアカウントを確立するための情報を提供するように促すようになっていてよい。既に論じたように、商品予約システムは、ユーザーが商品抽選セッションに参加できるよう、さまざまなウェブページ（又はインターフェイス）を提供し得る。商品予約システムは、ユーザーに、ユーザー登録情報を入力するための登録用インターフェイスを提供し得る。例えば、商品予約システムは、ユーザーアカウントを作成し登録するためにユーザーのコンタクト情報、ユーザー名、パスワード、電子メールアドレス、及びその他の類似のユーザー情報を求めるようになっていてよい。
【００３７】
ステップ３１２においては、商品予約システムは、予約リクエストを提出したいと望む特定の商品を示す、ユーザーからの入力を受信し得る。図１０Ａ、図１０Ｂ、及び図１１に示され、かつ後程詳しく説明されるように、本明細書の開示の一部の態様においては、商品予約システムは、抽選中、提供されているさまざまな製品の画像を表示し得る。ステップ３１２においては、商品予約システムは、ユーザーが選択した商品の詳細を示す、ユーザーが入力した選択事項を、提供されたインターフェイス（複数可）を介して受信し得る。例えば、ユーザーは、望ましい商品サイズ、商品の色などを示すための、１つ以上のインターフェイス要素（例えば、メニュー、ドロップダウンリストなど）を提供され得る。
【００３８】
次にステップ３１４において、商品予約システムは、配送情報、及び／又はユーザーによりステップ３１２で選択された限定商品及びイベントに関する好みを受信し得る。図１３に図示され、後程詳しく説明されるように、本明細書の開示の一部の態様においては、商品予約システムは、ユーザーが抽選に勝利した場合に、ユーザーにより選択された限定商品をユーザーが購入及び／又は引き取ることができる小売店のリストを、ユーザーに提供し得る。別の例としては、商品予約システムは、ユーザーに、限定商品を特定の郵送先住所に配送（例えば、郵送、船便などで配送）するオプションも提供し得る。この例においては、商品予約システムは、ユーザーに、ウェブサイト上又はその他のインターフェイス上に提供されたテキストボックス（又は何らかのその他のインターフェイス要素）に、郵送先住所を入力するように促し得る。
【００３９】
ステップ３１６においては、商品予約システムは、抽選セッションの開始時に始動させたセッションタイマーが、時間切れとなったかどうかを判定し得る。セッションタイマーが時間切れになっている場合には、ステップ３２４に進んでよい。セッションタイマーが時間切れになっていない場合には、ステップ３１７に進み、商品予約システムは、ステップ３１２中に選択された商品に対する予約リクエストを、ユーザーから受信し得る。一部の実施形態においては、商品予約システムは、ユーザーインターフェイスを介して、ユーザーが特定の商品に対して予約リクエストをすでに提出したことを示す、ユーザーによる入力選択事項を受信し得る。本開示の一部の態様においては、ユーザーが予約リクエストを提出した後で、商品予約システムは、そのユーザーに対して、リクエストが受信された旨を示すメッセージを送信し得る。
【００４０】
ステップ３１８においては、商品予約システムは、現在の抽選セッション中に提供されている他の商品、イベント、及び／又はサービスに対して、ユーザーが追加的な予約リクエスト（複数可）を提出したいかどうかを判定し得る。ステップ３１８中、商品予約システムは、ディスプレイインターフェイスを介して、ユーザーに、追加的な予約リクエストを提出するか、あるいは、商品抽選セッションを終了するように促し得る。商品予約システムが、ユーザーは追加的な予約リクエストを提出したいと望んでいると判定した場合には、ステップ３１２に戻り得る。商品予約システムが、ユーザーは追加的な予約リクエストを提出したいと望んでいないと判定した場合には、ステップ３２４に進み得る。同様に、抽選セッション中にただ１つの商品しか提供されていないという実施形態においては、ステップ３２４に進み得る。
【００４１】
ステップ３２０においては、商品予約システムは、商品抽選セッションが時間切れになったことを示す通知を、ユーザーに送信し得る。一部の実施形態においては、商品予約システムは、商品抽選セッションが時間切れになったことを示す通知（又はメッセージ）をユーザーインターフェイス上に提示し得る。別の実施形態においては、商品予約システムは、商品抽選セッションが時間切れになったことを示すメッセージを、複数のユーザーに一斉送信し得る。ステップ３２２においては、商品予約システムは、抽選セッション中にユーザーが、少なくとも１つの予約リクエストを提出したかどうかを判定し得る。商品予約システムが、抽選セッション中にユーザーは予約リクエストを提出していないと判定した場合には、処理を終了してよい。商品予約システムが、抽選セッション中にユーザーは予約リクエストを提出したと判定した場合には、ステップ３２４に進み得る。
【００４２】
ステップ３２４においては、商品予約システムは、抽選セッション中に提出された１つ以上の予約リクエストを処理し得る。ステップ３２４には、予約リクエストに含まれる、例えば色、サイズ、配送に関する希望のような属性及び選択情報を、入手可能な在庫と比較することが含まれ得る。後程詳しく論じるように、商品予約システムは、在庫データベース、データ保管庫、又は他の計算装置と通信を行って情報（例えば、サプライチェーンデータ）を交換し、商品予約システムを介して消費者に提供されている限定商品、イベント、又はサービスの入手可能性を判定し得る。例えば、限定フットウェア商品について、商品予約システムは、サプライチェーン管理システム、在庫データベース、及び／又はその他のデータ保管庫と通信を行い、抽選セッションを介して消費者に提供されているフットウェア商品に関するサプライチェーンデータ及びその他の情報を交換し得る。
【００４３】
本開示の一部の態様においては、消費者が入手可能な商品とマッチングされ（例えば、ユーザーの予約リクエストが受け付けられる）、かつその結果としてそれらの限定商品が購入及び／又は配送されるにつれて、商品予約システムは、特定の商品に対する在庫情報を、交換されたサプライチェーンデータを用いて時々刻々更新及び／又は調整するように構成され得る。商品予約システムを、限定商品を提供及び／又は流通させる実在主体（又はその他の第三者）のサプライチェーン管理システムと統合することにより、商品予約システムは、例えば工場、卸、小売り、運送会社のようなサプライチェーン（又は取引）パートナーと、消費者との間の、簡潔で効率的なサプライチェーンデータ通信を容易にし得る。したがって、商品予約システムは、例えば供給／在庫、需要、商品の注文状況、及び配送状況などのような、非常に重要なサプライチェーンデータへの、統合された、リアルタイムでのアクセスを有し得ることとなり、それにより、抽選セッションを介して提供される商品の流通及び配送の管理における効率性を向上させ、かつ、消費者に対して、それらの商品の入手可能性について、及び提出された（又は処理された）予約リクエストに関する状況の更新についてのリアルタイムでの情報を提供することができる。
【００４４】
ステップ３２４中、商品予約システムは、どのユーザー（及び／又は予約リクエスト）が、抽選に勝利して、商品を購入する機会を与えられるかを決定し得る。本明細書の開示の一部の態様においては、商品予約システムは、抽選の勝者（複数可）を、予約リクエストを提出したさまざまなユーザーをランダムに選択することによって決定し得る。他の例示的実施形態においては、商品予約システムは、さまざまな要因に基づいて、予約リクエストを提出したユーザーをランク付け（あるいは、予約リクエストそのものをランク付け）し得る。例えば、商品予約システムは、各ユーザーが以前に提出した予約リクエストの数、各ユーザーが以前に勝利した抽選の数、各ユーザーが抽選に買った後、商品を購入しそこなった事例の数などに基づいてユーザーをランク付けし得る。別の例としては、商品予約システムは、各ユーザーの、オンラインコミュニティアカウント（例えば、ナイキプロフィール／アカウント）に保存されている運動活動データに基づいて、ユーザーをランク付けし得る。例えば、商品予約システムは、抽選セッションに先立つ所定の期間（例えば、１日、１週、１カ月、１年など）内に実施した運動活動のレベルに基づいて、ユーザーをランク付けし得る。商品予約システムは、各ユーザーが達成した個人的な運動活動目標又は主要管理点の数に基づいて、ユーザーをランク付けし得る。商品予約システムは、最上位にランクされたユーザー（複数可）を商品抽選の勝者（複数可）として選択し、勝利したユーザー（複数可）に、選択した商品を購入する機会を提供し得る。
【００４５】
追加的に又は代替的に、商品予約システムは、ポイントシステムに基づいて、ユーザーをランク付けし得る。商品予約システムは、一定の期間にわたって、ユーザーが抽選セッションに参加する間、各ユーザーに対して付与された及び／又は差し引かれたポイント数を追跡し得る。各ユーザーは、例えば抽選セッションに参加すること、ユーザーアカウントへ登録すること、抽選に外れること、一斉送信されたメッセージに応答すること、運動活動に参加することなどのような、さまざまな行動（又は、イベント）に対してポイントを付与され得る。１つの例としては、一定期間にわたり抽選に外れているユーザーは、自身の全般的なランキングを上昇させ、その結果、以後の抽選に勝利するチャンスも高めるのに十分なポイント数をためている場合があり得る。同様に、ユーザーは、例えば抽選に勝利した後で商品を購入しそこなうこと、所定の期間内に閾値レベルの運動活動に参加しそこなうこと、抽選に勝利することなどのような、さまざまな理由（又は事象）でポイントを失う場合があり得る。商品予約システムは、上に論じたようなさまざまな事象に対して各ユーザーに付与された及び／又は各ユーザーから差し引かれたポイント数に重みづけをし得る。商品予約システムが、ユーザー又は対応する彼らの予約リクエストを、システムにより収集された情報に基づいて、本開示の範囲から逸脱することなくランク付けし得る、さまざまな方法が他にも存在する。
【００４６】
商品抽選の勝者を決定することに加えて、商品予約システムは、ユーザーにより提出された予約リクエストを処理して、さまざまなタイプの通知メッセージを生成し得る。例えば、商品予約システムは、予約リクエストを処理して、リクエストされた商品又はリクエストされたサイズが認識されない、又は好ましい店舗所在地ではもう入手可能ではないと判定し、通知メッセージはその旨を消費者に示すようになっていてよい。商品予約システムはまた、消費者が既に保留中の商品予約を有しているかどうかを判定し得るが、通知メッセージは、当該ユーザーから当該商品に対する商品予約を、システムが既に受信していることを示すものとなり得る。
【００４７】
ステップ３２６においては、商品予約システムは、抽選の結果を、１人以上のユーザーに送信し得る。商品予約システムは、抽選結果を処理し、予約リクエストを提出したそれぞれのユーザーに向けて、抽選に勝利したか外れたかを示すようカスタマイズされたメッセージを生成し得る。商品予約システムは、抽選結果を処理し、さまざまなタイプの通知メッセージを生成し得る。例えば、商品予約システムは、抽選結果を処理し、支払いを求めるメッセージ（又は通知）を、抽選の１人以上の勝者に送信し得る。別の例としては、商品予約システムは、抽選結果を処理し、抽選に外れた人に対して、例えば、抽選の勝者がその限定商品を購入しないと決定した場合や、あるいはその商品を、所定の期間内に購入しなかった場合のように、もし追加的な商品が入手可能になったら通知してほしいかどうかを尋ねる通知を送り得る。
【００４８】
商品予約システムによってメッセージが一斉送信されるために、既に述べたものに替わるタイプの媒体チャネルが採用され得るということが理解されるであろう。更に、限定商品の提供が利用可能かどうかを一斉送信し、予約リクエストを受け付けるために、さまざまなタイプの媒体チャネルを組み合わせて用いる場合もあり得る。例えば、１つのタイプの媒体チャネル（例えば、ツイッター）を、限定商品、イベント、又はサービスの入手可能性についての告知を一斉送信するために用い、別のタイプの媒体チャネル（例えば、携帯デバイス）を、予約リクエストを含む応答をユーザーが提供するために用いるという場合もあり得る。
【００４９】
代替的な実施形態は、プッシュ通知機能を用い得る。例えば、アンドロイド及びｉＯＳの携帯デバイスには、本開示の諸態様を実施するために用いられ得る、プッシュ通知の機能が含まれている。消費者は、アプリケーションをダウンロードして、事前登録し得る。事前登録プロセスの一部として、消費者は、そのアプリケーションにのみ許される、商品の売り出しへの参加を登録し得る。事前登録することにより、消費者は、追加的な情報（シューズ／服のサイズ、関心事、お急ぎチェックアウトの設定など）を提供し、その情報は、（例えば、忠誠プログラムの一部として）商品の売り出しを特定の消費者に向けるために用いられ、ユーザーはその結果として、限定商品の売り出しとその対応する商品抽選日時を示すプッシュ通知を受信し得る。プッシュ通知はまた、消費者に、消費者の関心事にマッチしたターゲット化されたメッセージを送るためにも用いられ得るが、その商品への予約リクエストを提出するために、プッシュ通知の「承認」しか必要としないようにすることができる。
【００５０】
当業者ならば、本開示の諸態様は、商品に対して用いられることに限られないということを理解するであろう。他の実施形態においては、本明細書に記載の方法及びシステムは、入手できる数に限りがあるサービス又は商品に関連して使用し得る。例えば、本明細書に記載の商品予約システムは、スポーツイベントへのチケットを提供する１つ以上の抽選セッションを、ウェブサイト（又はその他のインターフェイス）を介して開催し得る。
【００５１】
商品予約システムはまた、入手できる数に限りはないが、予約が望ましい場合があり得る商品、例えば、需要が大きく、購入までにかなりの時間を待たされる可能性がある商品についても採用され得る。この説明において用いられる「商品」という用語は、物理的な品物、サービス、及び任意のその他の購入可能なものごとを指すということも理解すべきである。一部の実施形態はまた、好ましい消費者又は他の人に、限定商品の入手可能性と商品抽選セッションの開催とについて告知するメッセージを、その他の消費者に対して一般的に一斉送信されるのに先立って提供することを含み得る。
【００５２】
本明細書の開示の別の態様においては、商品予約システムはまた、新商品の売り出しキャンペーンを作成するため、商品抽選セッションが将来開催されるであろうことを示す当初メッセージを編集してその一斉送信を開始するため、提出された予約リクエストをモニターするため、及びその他の管理機能を容易にするための、管理プラットフォーム、モジュール、インターフェイス、ダッシュボードなどをも含み得る。後程詳しく論じるように、管理者は、プラットフォーム（又はインターフェイス）を用いて、サプライチェーンデータ、これまでの予約リクエストデータなどを概観し得る。
【００５３】
図４は、本開示の諸態様により実施され得る、商品予約システム４００の１つの例を図示している。商品予約システム４００は、商品予約プロセスを自動化し、消費者が、例えばウェブサイトインターフェイスを介して、限定商品及び／又はサービスを購入する権利を予約することを可能にする。商品予約システム４００は、在庫データ保管庫４０２で、在庫を管理し得る。商品予約システム４００は、限定商品及び／又はサービスを、商品予約システム４００を介して提供する実在主体の在庫データベース又はサプライチェーン管理システムに、（１つ以上の通信リンクを介して）動作可能に接続され得る。商品予約システム４００は、現在の在庫レベル（又は他のサプライチェーンデータ）に関する情報を取得し、この情報を在庫データ保管庫４０２に格納するように構成され得る。
【００５４】
商品予約システム４００はまた、商品予約モジュール４０４を用いて消費者とも通信し、予約リクエスト収集モジュール４０６を介して予約リクエストを受信し、予約リクエストを予約リクエスト処理モジュール４０８で処理し得る。商品予約システム４００はまた、商品予約データ保管庫４１２に格納された商品予約リクエストを管理する、予約管理モジュール４１０をも含み得る。その結果、消費者の経験は向上し、また有利なことに、商品予約キャンペーンと抽選セッションを作成し展開する際の一般諸経費を削減し、エラー発生の余地を削減するようなプロセスの能率化が実現される。
【００５５】
商品予約モジュール４０４は、商品予約システム４００のためのユーザーインターフェイスとして機能する、負荷分散型アプリケーションであり得る。本明細書の開示の別の態様においては、商品予約モジュール４０４は、商品予約ウェブサイトのホストとなっているウェブサーバー（不図示）と、動作可能に通信する負荷分散型アプリケーションであり得る。管理者は、商品予約モジュール４０４を用いて、提供されている限定商品の在庫を更新し、商品予約キャンペーンと抽選セッションとを作成及び構成し、かつ実行中の抽選セッションをモニターし得る。商品予約モジュール４０４はまた、抽選と、限定商品、イベント、及び／又はサービスの入手可能性とを告知するメッセージの一斉送信をも、例えば、当初の一斉送信されるメッセージを送信することにより、開始し得る。予約リクエスト処理モジュール４０８は、抽選中に提供される限定商品及び／又はサービスの現在の在庫レベルを、時々刻々（例えば、リアルタイムで）更新するように構成され得る。予約リクエスト処理モジュール４０８（又は、商品予約システムの何らかの他の構成部品）に、商品及び／又はサービスの現在の在庫レベルを時々刻々更新させることにより、システムが、より素早く、効率的に、ユーザーに対して、保留中の予約リクエストの状況に関して通知することが可能になり得る。また、後程詳しく論じるように、商品予約システムは、限定商品の追加的な在庫が入手可能となる（例えば、他のユーザーが、その限定商品を購入しないと決断した場合）かどうかをユーザーに通知し得る。
【００５６】
ひとたび抽選セッションが開始されると、予約管理モジュール４１０は、例えば、さまざまなユーザーにより提出された予約リクエストを追跡し、モニターすることによって、抽選セッションをモニターし得る。予約管理モジュール４１０は、予約リクエスト収集モジュール４０６を追跡する、軽量のアプリケーションであり得る。予約管理モジュール４１０はまた、予約データ保管庫４１２へのインターフェイスとしても機能し得る。予約リクエスト収集モジュール４０６は、ユーザーによりウェブサイトを介して提出された予約リクエストを収集するため、商品抽選ウェブサイトをホストする１つ以上のウェブサーバーに接続されるか又はそれと通信し得る。予約リクエスト収集モジュール４０６は、一定の期間にわたりユーザーによって提出された予約リクエストの数を追跡し、保存するように構成され得る。予約リクエスト収集モジュール４０６は、そのような情報を、限定商品を提供する実在主体に対して、後に使用できるように送信し得るが、そのような使用には、例えば、将来、メッセージの一斉送信を特定のユーザーを対象として実行するような場合の使用が挙げられる。商品予約システム４００は、複数の予約リクエスト収集モジュール４０６を含み得る。予約リクエスト収集モジュール４０６は、予約リクエストの初期処理を実行し、その予約リクエストを更なる処理に送り得る。商品予約システム４００は、予約リクエスト処理モジュール４０８によって処理されるのを待っている、提出された予約リクエストの待ち行列４１４を維持し得る。
【００５７】
予約リクエスト処理モジュール４０８は、既に説明したように予約リクエストを処理するために用いられるビジネスロジックを含み得る。商品予約システム４００は、複数の予約リクエスト処理モジュール４０８を含み得る。予約リクエスト処理モジュール４０８は、提出された予約リクエストが、小売店舗で現在入手可能な（又は在庫のある）いずれかの商品にマッチするかどうかを判定し得る。予約リクエスト処理モジュール４０８が、商品を認識し、商品が入手可能であると判断した場合には、予約リクエスト処理モジュール４０８は商品予約モジュール４０４にリクエストを送り返し、ユーザーが抽選に勝利したことを示すメッセージ又は通知を仕上げて発行させる。商品予約モジュールは、通知を発行する前に、最終チェック、例えば、商品予約が予約超過になっていないかを確認するためのチェックを実行し得る。
【００５８】
商品予約システム４００は、供給停止（入手可能性）の可能性と、商品抽選ウェブサイトへのトラフィック（スケーラビリティ）及びウェブサイトを介してユーザーにより提出された予約リクエストの数のおりおりの急激な上昇の可能性との両方に耐え得るものであり得る。システム４００は、モジュール式でかつ高度に分離されたものに構成され得る。リソース集約型のモジュールは、トラフィックのパターンに対応するために、その場しのぎ的やり方で、追加的なリソースを提供するために複製され得る。また、予約リクエスト待ち行列４１４の使用により、有利なことに、あらゆる接続のブロックが回避される。負荷分散装置４１６を、提出された予約リクエストを収集し処理するのを容易にするために用い得る。一部の実施形態においては、商品予約システム４００が、確実に予約リクエストに素早く応答するのを助けるために、キャッシュシステムも用い得る。
【００５９】
実施形態の態様は、その例示的な実施形態の用語で記述されてきた。数多くの他の実施形態、添付の特許請求の範囲及び趣旨内の修正及び変形が、本開示の参照から当業者に行われるであろう。例えば、当業者は、例示的な図に示されたステップを列挙された順序以外で実行することができること、及び示された１つ以上のステップは、実施形態の態様に従って任意であってもよいことを理解するであろう。
【００６０】
図５〜１５は、ユーザーに対して情報を提供し、ユーザーから情報を受信するための、グラフィカルユーザーインターフェイス画面の例を図示している。既に論じたように、一斉送信されたメッセージ内に含まれたリンクを選択した後、消費者は、抽選セッションに参加し、予約リクエストを提出するため、ウェブサイト（例えば、商品、イベント、又はサービスを提供する実在主体のウェブサイト）に誘導され得る。図５〜１５は、消費者に、抽選に参加することにより、限定商品を購入するための権利を予約する機会を提供する、一連のグラフィカルユーザーインターフェイス画面を示している。図示されている例は、フットウェア商品に関連するものである。もちろん、このプロセスはまた、衣類、運動用のギア、消費者向け電子機器、及び供給量の限られ得る任意の他の商品のような、フットウェア以外の商品に対しても用いられ得る。追加的に又は代替的に、このプロセスは、プロのアスリートに会うことや、運動イベントへのチケットなどのような、イベント及びその他の顧客体験についても用いられ得る。
【００６１】
図５は、ユーザーが、限定商品を購入する権利を予約するためのオンライン抽選会に参加する、（計算装置上に生成され得るような）ユーザーインターフェイス画面５００の１つの例を図示している。抽選セッションを催しているウェブサイトは、例えば商品表示エリア５１０のような、インターフェイス画面５００の第１の部分に、消費者に対して提供されているさまざまな商品を表示し得る。表示エリア５１０に図示される商品（複数可）は、提供され、かつ／又は消費者に一斉送信されたメッセージ内で宣伝されている限定商品（複数可）に対応するものであり得る。図５に示すように、インターフェイス画面５００の第２の部分は、ウェブサイトを訪問した消費者に、限定商品の抽選に参加し、予約リクエストを提出するための指示を提供するものであり得る。例えば、表示エリア５２０は、ユーザーが、限定商品の抽選に参加するためには、消費者はユーザーアカウントにサインインかつ／又は登録しなければならず、予約したい商品を選び、そして抽選結果が決定されるのを待たなければならないということを示している。消費者は、「始める」というインターフェイス要素（すなわち、要素５３０）を選択することによって、商品予約プロセスの次のステップに進み得る。
【００６２】
図６は、消費者が、図５に関連して説明したように、「始める」というインターフェイス要素を選択した結果起こり得る、ユーザーインターフェイス応答の１つの例を図示している。この図示されている例においては、商品予約ウェブサイトへのログイン用インターフェイスがユーザーに提示されている。ログイン用インターフェイス６００には、抽選セッションを開始するためにユーザーからの情報を求める、オーバーレイ画面部分又はテキストボックス（複数可）が含まれ得る。例えば、図４に図示されるように、ユーザーの電子メールアドレス及びパスワードの入力を求めるテキストボックスが、ログイン用インターフェイス６００の一部分に表示され得る。情報の要求（複数可）は、本開示の範囲を逸脱することなく、例えば、テキスト入力ボックス、ドロップダウンリストなどを介して、任意の望ましい方法又はフォーマットで、ユーザーに対して提供され得る。
【００６３】
一部の実施形態においては、ログイン用インターフェイス６００内に表示される１つ以上のテキストボックスには、要求されたユーザー情報があらかじめ記入されている場合があり得る。例えば、あるユーザーが、限定商品を提供している実在主体に対して、以前にユーザーアカウント（例えば、ナイキ＋アカウント）を作成している場合、ウェブサイトは、要求されたユーザー情報を、クッキー（又はその他のデータ保管庫）から取得し、ログイン用インターフェイスが最初にユーザーに対して表示された際に、取得したユーザー情報を、１つ以上のテキストボックスに表示し得る。ひとたびユーザーによってすべての必要な、又は所望の情報が入力されると、「サインイン」アイコンへのユーザーの入力によって（又は任意の他の所望の方法で）、抽選セッションが開始され得る。望ましい場合には任意で、本開示の範囲を逸脱することなく、このタイプの追加的な情報の入力を必要とせず、図５のインターフェイス画面から直接的に抽選セッションを開始することが可能である。これがなされ得るのは、例えば、消費者のユーザー情報（例えば、電子メール、パスワードなど）、及び抽選セッションを開始するコンピュータのＩＤ情報が既に（例えば、クッキーに）保存されている場合、及びそれが以前の抽選セッションなどから入手できる場合である。
【００６４】
ある消費者がユーザーアカウントを有していない場合、その消費者は、「新規登録」アイコンを選択することにより、新しいユーザーアカウントを登録し得る。図７には、ユーザーが、図６に関連して説明したように「新規登録」アイコンを選択することの結果として提示され得る、登録インターフェイス７００の１つの例が図示されている。この図示されている例においては、ユーザーアカウントを生成し、抽選セッションを開始するために、登録インターフェイス７００は、ユーザーからの情報を要求し得る。例えば、登録インターフェイスは、ユーザー名、電子メール、ユーザーＩＤ、パスワード、性別、郵便番号、携帯電話番号、及びその他の所望の情報の入力を要求するテキストボックスを含み得る。別の例としては、登録インターフェイスは、ユーザーからの支払い情報（例えば、クレジットカード情報、銀行口座番号、オンライン支払いサービスの証明など）の入力を要求するテキストボックスを含み得る。この例においては、商品予約システムは、ユーザーが限定商品の購入する権利を予約するのに成功した（例えば、そのユーザーが商品抽選の勝者になった）場合にこの情報を後に使用するために保存する場合があり得る。本開示の一部の態様においては、ユーザーが抽選の勝者に選ばれた場合に、そのユーザーは、抽選セッション中に購入したあらゆるものを、自動的に、好ましいクレジットカードによって支払うようにする（又は、任意の他の支払い方法で支払うようにする）というオプションを有し得る。
【００６５】
本開示の一部の態様においては、商品予約システムは、ユーザーに、登録インターフェイスに提供された情報を確認することを要求する場合があり得る。商品予約システムは、固有のコード又はメッセージを含む、確認用の電子メール、テキスト、又はその他のメッセージをユーザーに送り得る。例えば、図８に図示されているように、「コードを送信」アイコンを選択すると、商品予約システムがコードを、消費者によって提供された携帯電話番号と関連付けられた携帯デバイスに送信し得る。図９に図示されているように、ユーザーは、アカウント情報を確認するために登録インターフェイスにその送信されたコードを再度入力しなければならないようになっている場合があり得る。ユーザーにより提供されたアカウント情報を確認するさまざまな他の方法が、本明細書における開示の範囲から逸脱することなく、商品予約システムによって実行され得る。
【００６６】
図１０Ａは、上に説明したように商品抽選セッションが開始された結果として、消費者に対して表示され得る、ユーザーインターフェイスの１つの例を図示している。この図示された例においては、抽選の所定の開始時刻より前に、商品抽選セッションを開始するよう試みるインターフェイス画面１０００が、ユーザーに対して提示され得る。図１０Ａに図示されているように、表示エリア１０１０に示されている限定商品の抽選は、所定の日付（例えば、９月１０日）の午後７時までは開始しない。したがって、商品予約プラットフォームは、予約リクエストを提出することを、所定の日時になるまで、ユーザーに対して許可しないようになっている場合がある。図１０Ａに更に図示されているように、消費者は、「もっと詳しく」アイコン（すなわち、インターフェイス要素１０２０）を選択することにより、画面１０１０に示される限定商品に関する追加的な情報を取得し得る。また、インターフェイス画面１０００の一部分が、商品名、コスト、又は、表示エリア１０１０に表示されている限定商品に関連したその他の情報を表示し得る。
【００６７】
要素１０４０によって図示されているように、インターフェイス画面１０００の一部分は、ユーザーに対して、商品抽選セッションに関する追加的な情報へのアクセスを提供するものであり得る。例えば、ユーザーによりインターフェイス要素１０４０が選択された後、オーバーレイ部分画面がユーザーに対して提示され、例えば、商品抽選セッション、予約リクエストの提出に関してよくある質問への回答などの追加的な情報を提供するようになっている場合があり得る。望ましい場合には任意で、商品抽選セッションに関する追加的な情報を提供する新たなインターフェイス画面がユーザーに対して表示され得る。また、インターフェイス画面１０００は、ユーザーに、限定商品の近日発売及び発売に関する情報を提供するインターフェイス要素（例えば、要素１０５０）を含み得る。例えば、ユーザーは、限定商品がある月に発売される日付を表示するカレンダーを含むインターフェイスに誘導され得る。
【００６８】
本開示の一部の態様においては、商品抽選セッション中に複数の限定商品がユーザーに対して提供され得る。例えば、図１０Ｂに図示されているように、ユーザーは、インターフェイス画面１０７０に示されている３つの限定商品のそれぞれに対して、予約リクエストを提出し得る。図１０Ａに関連させて既に説明したように、それぞれの限定商品に対する商品及びコスト情報は、ユーザーに対してインターフェイス画面１０７０上に表示され得る。
【００６９】
本明細書の開示の一部の態様においては、ユーザーは、ソーシャルネットワーキングウェブサイトに、商品抽選セッションに参加しているという通知を「投稿」し得る。多くのソーシャルネットワーキングウェブサイトは、ユーザーが個人に関する項目や状況の更新を、他の人によって見えるように投稿することが可能な、ユーザープロフィールのウェブページを有している。商品抽選セッションを催しているウェブサイトへの訪問者は、他の人に、彼らが商品抽選セッションに参加しており、成功裏に限定商品に予約をした等々と通知したいと望む場合があり得る。そのようなソーシャルネットワーキングウェブサイトは、例えば提供されている限定商品のメーカーのような、商品抽選ウェブサイトを維持している実在主体と同じ主体により維持されている場合があり得る。追加的に又は代替的に、そのようなソーシャルネットワーキングウェブサイトは、フェイスブック（登録商標）、ツイッター（登録商標）、マイスペース（登録商標）などのような第三者によって維持されている場合があり得る。
【００７０】
例えば、図１０Ａ中の表示エリア１０６０により図示されているように、インターフェイス画面１０００は、さまざまなソーシャルネットワーキングウェブサイト又はオンラインコミュニティに関連するアイコンを表示し得る。ユーザーは、表示エリア１０６０に提示されているアイコンのうちの１つをクリックすることによって、「投稿」を実行するというオプションを有し得る。本明細書の開示の一部の態様においては、ユーザーは、１つ以上のソーシャルネットワーキング又はオンラインコミュニティのアカウントを、商品予約システムに関連付けられたユーザープロフィールに統合（又は、アフィリエイト）させ得る。一部の構成においては、ユーザーは、限定商品の売り出し、及び／又はそのような商品を購入する権利を予約する機会に関する通信文を受信し得る。
【００７１】
図１１は、上に説明したように商品抽選セッションが開始された結果として、ユーザーに対して表示され得る、ユーザーインターフェイスの１つの例を図示している。この図示された例においては、商品予約システムによって設定された所定の時間内に、１つ以上の予約リクエストを提出するために、商品抽選セッションを開始しようとするインターフェイス画面１１００が、ユーザーに提示され得る。図１１に図示されているように、インターフェイス画面１１００の一部分は（例えば、表示エリア１１１０）は、商品抽選セッションを完了し、予約リクエストを提出するためにユーザーが有している時間を示す、セッションタイマー（又はクロック）を含み得る。例えば、商品予約システムは、ユーザーに、商品抽選セッションを完了するために、３分間、５分間、又は任意のその他の好適な時間を提供し得る。本開示の他の態様においては、セッションタイマー（又はクロック）は、商品抽選セッションが終了するまでに残っている時間を示し得る。例えば、図１１に図示されているように、表示エリア１１１０は、商品抽選セッションが１０分後に終了し、そのため商品予約システムは、セッションタイマーが時間切れとなったら、それ以降予約リクエストを受け付けることができないということを示し得る。
【００７２】
一部の実施形態においては、インターフェイス画面１１００の一部分（例えば、表示エリア１１２０）は、商品抽選セッション中に提供されている限定商品の画像と、関連する商品情報（例えば、商品名、コストなど）を表示し得る。追加的に又は代替的に、要素１１３０によって図示されているように、インターフェイス画面１１００はまた、現在の商品抽選セッション中に提供されている１つ以上の他の限定商品の画像と関連する商品及びコスト情報をも表示し得る。図１１に図示されているように、商品抽選セッションを継続し、表示エリア１１２０に示されている限定商品に対する予約リクエストを提出するために、ユーザーはアイコン１１４０を選択し得る。
【００７３】
図１２は、図１１を参照しながら上に説明したように商品抽選セッションが開始された結果として、ユーザーに対して表示され得る、ユーザーインターフェイスの１つの例を図示している。この図示されている例においては、オーバーレイ画面部分１２００がインターフェイス画面１１００上に提供され得る。本開示の一部の態様においては、オーバーレイ画面部分１２００が提示された場合、オーバーレイ画面部分１２００を視覚的に強調するために、インターフェイス画面１１００は部分的に又は実質的に不明瞭化され得る。例えば、図１２に図示されているように、オーバーレイ画面部分１２００がユーザーに対して視覚的に強調されるように、インターフェイス画面１１００は部分的に不明瞭化される（例えば、「灰色化される」）。図１２に図示されているように、オーバーレイ画面部分１２００は、ユーザーが予約したいと望む限定商品の画像を含み得る。また、オーバーレイ画面部分１２００は、ユーザーが予約したいと望む限定商品についての追加的な情報を要求する１つ以上のアイコン（又は、インターフェイス要素）を含み得る。例えば、オーバーレイ画面部分１２００は、選択されると、ユーザーにより選択されたフットウェア商品の、入手可能な商品サイズのリストを表示する、「サイズ」アイコン（すなわち、アイコン１２１０）を含み得る。
【００７４】
既に論じたように、商品予約システムは、抽選セッションを介して入手可能となるさまざまな商品、イベント、又はサービスに関するサプライチェーン情報を交換するために、サプライチェーン管理システム、在庫データベース、データ保管庫（例えば、在庫データ保管庫４０２）、及び／又は何らかの他の計算装置（複数可）と通信し得る。本開示の一部の態様においては、商品予約システムは、リアルタイムのサプライチェーンデータ、在庫情報、及び／又は限定商品の入手可能性に関する更新を受信し得る。例えば、予約リクエストを消費者から抽選セッション中に受信した場合、商品予約システムは、サプライチェーンデータを取得し処理して、商品及び／又は商品サイズが、特定の小売店舗又は所在地で購入するために入手可能であるかどうかを判定し得る。ユーザーに、限定商品の入手可能性についてのリアルタイムのデータを提供することにより、ユーザーは、商品を決定し、好みの配送方法を選択する際に、より多くの情報に基づく意思決定をすることが可能となり得る。図１２を再度参照すると、商品予約システムは、ユーザーに対して表示される商品サイズのリストを、当該商品の現在の在庫にしたがって、時々刻々更新し得る。商品予約システムは、受け付けた予約リクエストを、当該限定商品の、特定の小売店所在地での入手可能な在庫と素早くかつ効率的に、マッチングして、それにより、予約リクエストを処理するための時間を削減し、商品抽選結果を、抽選に参加しているユーザーに対して即座に提供し得る。
【００７５】
本開示の一部の態様においては、商品予約システムは、抽選セッション中及び／又は抽選セッション後に消費者により実行された予約及び購入に関する情報を送信するように構成され得る。例えば、特定のフットウェア商品に対する予約リクエストが受け付けられ処理される間に、商品予約システムは、商品情報、配送情報、及びその他のサプライチェーンデータを、サプライチェーン管理システム又はその他のデータ保管庫に、更なる処理をさせるために送信し得る。商品予約システムはまた、特定の抽選セッションの勝者が予約していた商品を購入するにつれて、サプライチェーンデータを交換及び／又は更新するようにも構成され得る。例えば、あるユーザーが抽選に勝利した後で、商品を購入する（あるいは購入しない）場合、商品予約システムは、商品の購入（又は不購入）にしたがって、サプライチェーンデータを更新し、かつ／又は他の管理システムに送信し得る。
【００７６】
また、商品予約システムは、抽選セッションに勝利した後で、ユーザーが当該商品の購入を完了するにつれて、特定の商品の適切な在庫レベルを確保するために、サプライチェーンデータを小売店舗の所在地と交換し得る。商品予約システムは、商品需要を評価して、小売店舗にリアルタイムで商品を適正に割り当てて分配することを決定するために、抽選セッション中に収集した情報と、サプライチェーンデータとを利用し得る。例えば、商品予約システムは、抽選セッションの勝者により提出された予約リクエストに対する商品及び配送に関する好みについての情報を抽出し、そのような情報を、サプライチェーン管理システム又は在庫データベースに伝達して、在庫レベル及びその他のサプライチェーンデータを更新させ得る。本発明の他の態様においては、商品予約システムの管理者は、例えば入手可能な商品に対する供給／需要情報のようなサプライチェーンデータに基づいて、どの商品が抽選セッションを介して入手可能となっているかを選択的に管理し得る。例えば、商品予約システムは、メモリから、過去の予約リクエストデータを取得して、以前に提供された商品に対する需要を決定し得る。この需要情報は、他のサプライチェーンデータとともに、ある商品を、抽選セッションを介して入手可能とすべきか否かを決定するために管理者によって使用され得る。
【００７７】
追加的に又は代替的に、過去の予約リクエストデータ、サプライチェーンデータ、及び商品予約システムにより収集及び／又は処理されるその他の情報は、商品が入手可能とされるべき最適な小売店所在地を決定するために用いられ得る。例えば、商品予約システムは、どの小売店舗が、特定の商品に対する最も多くのリクエストを受けたかを判定するために過去の予約リクエストデータを分析し得るが、更に、この情報に基づいて、特定の小売店舗でのその商品の在庫レベルを調整し得る（例えば、最も需要が大きい小売店舗への商品供給を増やす）。別の例としては、商品予約システムは、どの小売店舗の、抽選セッションを介した特定の商品を売り上げが最も少なかったかを判定するために過去の予約リクエストデータを分析し得るが、更に、この情報に基づいて、特定の小売店舗でのその商品の在庫レベルを調整し得る（例えば、商品の販売量が最も少ない小売店舗への商品供給を減らす）。したがって、商品予約システムは、サプライチェーン管理システムと通信して、将来の抽選セッションに先立って、リソースの割り当てと商品の供給とを最適化し得る。
【００７８】
再び図１２を参照すると、一部の例示的実施形態においては、オーバーレイ画面部分１２００は、ユーザーが、限定商品を提供している店舗のリストから選択するのを可能にする「店舗」アイコン（すなわち、アイコン１２２０）を含み得る。例えば、図１３に図示されているように、店舗アイコンをユーザーが選択し入力したのを受信したのに反応して、オーバーレイ画面部分１２００が、ドロップダウンメニュー１３００を表示し得るが、同メニュー１３００は、ユーザーにより選択された限定商品を提供している小売店舗のリストを提供する。サイズアイコン１２１０について既に論じたように、商品予約システムは、データベース又は何らかの他のデータ保管庫（例えば、在庫データ保管庫４０２）と通信を行って、特定の小売店舗が、リクエストをされた商品及び商品サイズを在庫に有しているかどうかを判定し得る。したがって、商品予約システムは、ユーザーに対して表示される小売店舗のリストを、当該商品の現在の在庫にしたがって、時々刻々更新し得る。本開示の一部の態様においては、メニュー１３００は、ユーザーがそこから当該限定商品を受け取り得る（又は、購入し得る）小売店舗のリストを提供し得る。
【００７９】
図１３に図示されているように、本明細書の開示の一部の態様においては、ユーザーは、限定商品を特定の郵送先、例えば自宅住所に配送することを要求し得る。ユーザーは、追加的な配送情報を提供するための後続のユーザーインターフェイスへと誘導され得る。別の実施形態においては、ユーザーインターフェイスは、当該ユーザーに関連付けられたアカウント、例えば、図７について既に論じたようにしてユーザーにより設定されたアカウントから配送情報を取得し得る。オーバーレイ画面部分における情報の要求は、本発明から逸脱することなく、任意の所望の方法又はフォーマットにより、例えば、ドロップダウンリスト、アイコン、ボタンなどを介して、ユーザーに対して提供され得る。要求された情報の入力を、ユーザーが終了した後、ユーザーは、オーバーレイ画面部分１２００内のアイコン１３１０を選択して、商品予約システムに、当該限定商品に対する予約リクエストを提出し得る。本明細書の開示の一部の態様においては、商品抽選セッション中、アイコン１３１０は、インターフェイス画面１１００又は別のインターフェイス画面内に提示され得る。
【００８０】
図１４は、図１３を参照しながら既に説明したようにユーザーが予約リクエストを提出した結果として、ユーザーに対して表示され得るユーザーインターフェイスの１つの例を図示している。例えば、あるユーザーが第１の商品に対する予約リクエストを提出した後で、そのユーザーは、インターフェイス画面１１００に誘導されて戻るようになっている場合があり得る。一部の実施形態においては、ユーザーには、新たなインターフェイス画面が提供され得る。例えばインターフェイス画面１１００のようなインターフェイス画面は、ユーザーが、特定の商品に対する予約リクエストを既に提出したことを、その商品に関連付けられた表示エリアを視覚的に変化させることによって示し得る。例えば、図１４に図示されているように、表示エリア１１２０は、ユーザーによりその特定の商品に対して提出された予約リクエストが、商品予約システムにより受信されたことを示すため、部分的に不明瞭になる（例えば、半透明になる）ように変化させられている。追加的に又は代替的に、表示エリア１１２０は、いつユーザーが商品抽選の結果について通知を受ける予定であるかを示す、ユーザーに対するメッセージを表示し得る。例えば、そのメッセージは、商品抽選の結果が、例えば、１時間、４時間などのような、所定の期間内に告知されるということをユーザーに対して示し得る。本明細書の開示の一部の態様においては、抽選の結果は、商品抽選セッションが閉鎖された直後にユーザーに対して表示され得る。例えば、セッションタイマーが時間切れとなると、ユーザーは、抽選の結果を表示するユーザーインターフェイスへと誘導され得る。あるユーザーが商品抽選に勝利したか外れたかに関わらず、そのユーザーは結果用インターフェイスへと誘導され得る。一部の例においては、ユーザーインターフェイスは、抽選結果が処理されている間、ユーザーは、ほんのしばらく待つべきであるということを示す、ユーザーに対するメッセージを表示し得る。
【００８１】
第１の商品に対する予約リクエストを提出した後、ユーザーは、その商品抽選セッション中に、他の入手可能な限定商品に対する予約リクエストを提出し得る。例えば、図１４に図示されているように、ユーザーは、表示エリア１４２０に示されている限定商品に対する予約リクエストを提出しようと試み得る。一部の実施形態においては、ユーザーは、ある所定の期間中は、所定の数の予約リクエスト（例えば、１件のリクエスト、５件のリクエストなど）しか提出できないように制限され得る。例えば、各ユーザーは、１年間の内に用い得る、５件の予約リクエスト権を提供され得る。本開示の一部の態様においては、ユーザーは、例えば、ユーザーアカウントに登録したこと、抽選に勝利できなかったこと、閾値量の運動活動に参加したことなどのようなさまざまな理由により、追加的な予約リクエスト権を付与され得る。各ユーザーに提供される予約リクエスト権の数は、本開示の範囲から逸脱することなく、ユーザーごとにさまざまに異なり得る。
【００８２】
既に記したように、ユーザーは、表示エリア１１１０内のセッションタイマーが時間切れとなる前に、他の限定商品に対する予約リクエストを提出するよう求められる場合があり得る。一部の実施形態においては、表示エリア１１２０に表示されているセッションタイマーが時間切れになると、ユーザーは、商品抽選セッションが終了した旨を示すユーザーインターフェイス画面に誘導され得る。例えば、図１５に図示されているように、インターフェイス画面１５００は、商品抽選セッションが閉鎖された旨を示すメッセージを、ユーザーに対して提供する。
【００８３】
携帯デバイスアプリケーションとして実施された予約システム及び方法の例
既に説明された商品予約システム及び方法は、例えば携帯電話、スマートフォン、タブレット型端末、及びその他の携帯デバイスのような、さまざまな移動型計算装置において実施され得る。一部の移動型計算装置は、Ｗｉ−Ｆｉ接続を通じて、又はゲートウェイコンピュータを介し、携帯電話ネットワークを通じて、インターネットへのアクセスを有し得る。そのような移動型計算装置は、いずれも上述したような、商品予約ウェブサイトや抽選セッションウェブサイトのようなウェブサイトにアクセスすることが可能である。さらに他の移動型計算装置は、その移動型計算装置自身上で、ソフトウェアアプリケーションを動作させて、ユーザーが商品抽選セッションの機能に直接、相互作用するのが可能となり得るようにすることが可能である。例えば、インターネット上のウェブサイトを維持している実在主体は、例えば携帯電話又はスマートフォンのような、個々の（又はグループの）移動型計算装置上で用いるためのソフトウェアアプリケーションを作成してもよい。そのような、ローカルソフトウェアアプリケーションは、実在主体又は第三者のウェブサイトにアクセスするのではなくむしろ、ユーザーに対して、その実在主体により提供される機能性への直接的アクセスを提供する。
【００８４】
既に論じたように、商品予約システムは、商品抽選セッションに参加する機会に関するメッセージを消費者に対して一斉送信するために、かつ限定商品、イベント、及び／又はサービスに対する予約リクエストを提出するためにソーシャルネットワーキングサービスを用い得る。例えばツイッターのようなソーシャルネットワーキングサービスは、ユーザーが、ツイートソースの全フォロワーに対して一斉送信されるメッセージ（すなわち、ツイート）を作成するのを可能にする。またツイッターにより、関係当事者同士で、他のフォロワーとは共有されない直接的なメッセージを交換することが、例えばダイレクトメッセージを介して可能となっている。要素１６１０及び１６３０によって図１６Ａ中に描かれているように、ユーザーは、限定商品の売り出しに関する１つ以上のメッセージをソーシャルネットワーキングサービスを介して受信し得る。一斉送信されたメッセージは、提供されている限定商品に対する商品抽選セッションが催される予定の日時を含み得る。また、一斉送信されたメッセージは、ユーザーが商品の抽選セッションに参加し得るウェブサイトへのハイパーリンクを含み得る。
【００８５】
図１６Ｂは、一斉送信されたメッセージ内に含まれるハイパーリンクを選択した結果としてユーザーに対して提示され得る、ウェブページインターフェイス（例えば、インターフェイス画面１６３０）の１つの例を図示している。インターフェイス画面は、商品抽選セッション中に消費者に対して提供されているさまざまな限定商品の画像及び商品情報を示し得る。消費者は、「始める」というインターフェイス要素（すなわち、要素１６４０）を選択することによって、商品予約プロセスの次のステップに進み得る。
【００８６】
図１７に図示されているように、ユーザーインターフェイス画面は、商品抽選セッションに関する追加的な情報と、予約リクエストを提出するための指示とを、ユーザーに提供し得る。ユーザーは、移動型計算装置上に現在表示されていない、ウェブページインターフェイスの部分を見るためにスクロールすることによって、この情報にアクセスし得る。理解されるように、移動型計算装置は、ユーザーにより、ユーザーの入力として実行される１つ以上の身体的なゼスチャを認識するように構成されている接触感知式ディスプレイ画面を装備していてもよい。例えば、移動型計算装置は、上方向へのスクロールに対応するユーザーの入力として、ユーザーが接触感知式ディスプレイ画面上で実行した、指による上方向へのスワイプを認識し得る。それにより、このユーザーによるゼスチャを認識すると、移動型計算装置は、移動型計算装置のディスプレイ上に表示されているインターフェイスを上方向にスクロールし得る。別の例としては、移動型計算装置は、ディスプレイ画面上でユーザーが行った１回のタップを、ユーザーの入力選択として認識し得る。ユーザーは、データを入力する手段として、又は選択肢及び／又はインターフェイス表示内のインターフェイス要素を選択する手段として、移動型計算装置を回転し、スワイプし、タップし、又はピンチし得る。データを入力したり、あるいはインターフェイス画面内の選択肢を選択したりする、任意の好適な方法が実施され得る。
【００８７】
図６〜図９に関連して既に述べたように、
商品抽選セッションを通じて利用可能な機能にアクセスするために、ユーザーは、ユーザープロフィールを有することが求められ得る。プロフィールを有していないユーザーは、商品抽選ウェブサイトを維持している、実在主体に登録をするように求められ得る。例えば、図１８Ａは、ユーザーが商品抽選セッションを開始しようと試みた場合に現れ得る、ログイン用画面インターフェイスを図示している。既存のユーザープロフィールを既に有しているユーザーは、図１８Ａに示すように、例えば、自身の電子メールアドレス及びパスワードのような、自身の識別情報を入力し得る。既存のプロフィールを有しないユーザーは、商品予約システムに登録するように求められ得る。図１８Ｂは、ユーザーに、例えば電子メールアドレス及びパスワードのような登録情報を促し得る、登録インターフェイス画面の１つの例を図示している。また、登録プロセス中に、ユーザーは情報を提供するよう求められる場合があり得る。例えば、図１９Ａ及び図１９Ｂに図示されているように、登録インターフェイスは、ユーザーに対して、例えばユーザーの誕生日、性別、郵便番号、携帯電話番号のような追加的な情報を提供するよう求める場合があり得る。任意の好適な情報が、登録のために求められ得る。
【００８８】
商品予約システムは、固有のコード又はメッセージを含む、確認用の電子メール、テキスト、又はその他のメッセージをユーザーに送り、ユーザーにより提供された情報を認証し得る。例えば、図１９Ｃに図示されているように、「コードを送信」アイコンを選択すると、商品予約システムがコードを、ユーザーによって提供された携帯電話番号と関連付けられた携帯デバイスに送信し得る。図１９Ｄ及び図１９Ｅに図示されているように、ユーザーは、アカウント情報を確認するためにインターフェイスにその送信されたコードを再度入力しなければならないようになっている場合があり得る。
【００８９】
図２０は、上に説明したように商品抽選セッションが開始された結果として、消費者に対して表示され得る、ユーザーインターフェイスの１つの例を図示している。抽選の所定の日時が、インターフェイスディスプレイの一部分に表示され得る。図２０に更に図示されているように、消費者は、近いうちに予定されている抽選の間に、入手可能にされる限定商品の画像を見る場合があり得るが、それらの限定商品に対する追加的情報を獲得する場合があり得る。例えば、ユーザーは、「もっと詳しく」アイコンを選択して、商品に関する追加的な情報を取得し得る。ユーザーは、インターフェイスをざっと通してスクロールして、商品抽選セッション中に提供される追加的な商品を見るという場合があり得る。
【００９０】
図２１は、商品予約システムが商品抽選セッションを開始した結果として表示され得る、インターフェイスの１つの例を図示している。図１１を参照しながら既に説明したように、インターフェイス画面の一部分は、商品抽選セッションを完了し、予約リクエストを提出するためにユーザーが有している時間を示す、セッションタイマーを含み得る。図２１に図示されているように、ユーザーは、限定商品の画像近くの「選択」アイコンを選択し、商品抽選セッションを継続し、その限定商品の予約リクエストを提出し得る。
【００９１】
図２２Ａは、図２１を参照しながら既に説明したように、ユーザーが予約すべき特定の限定商品を選択した結果として表示され得る、インターフェイスの１つの例を図示している。図２２Ａに図示されているように、インターフェイスは、ユーザーが選択した限定商品の画像が含まれ得るが、かつ、ユーザーが予約したいと望む限定商品に関する追加的な情報を求め得る、１つ以上のアイコン（又はインターフェイス要素）を含み得る。
【００９２】
例えば、インターフェイスは、「サイズ」アイコン（すなわち、アイコン１２１０）を含み得る。選択されると、図２２Ｂに図示されているように、表示エリア２２１０内のフットウェア商品に対する入手可能な商品サイズのリストを表示する。ユーザーは、表示エリア２２１０内の携帯デバイス画面をスワイプすることによって、さまざまに異なる商品サイズをスクロールして見るという場合があり得る。商品予約システムは、データベース又は何らかの他のデータ保管庫（例えば、在庫データ保管庫４０２）と通信して、求められた商品の特定のサイズが購入のために、特定の小売店舗又は所在地で入手可能であるかどうかを判定し得る。追加的に又は代替的に、インターフェイスは、選択されると、限定商品を提供している店舗（例えば、小売店舗）のリスト表示する、「店舗」アイコンを含み得る。
【００９３】
商品予約システムは、データベース又は何らかの他のデータ保管庫（例えば、在庫データ保管庫４０２）と通信して、特定の小売店舗が、リクエストされた商品及び／又はその商品のリクエストされたサイズを在庫に有しているかを判定し得る。図２２Ｃに図示されているように、本明細書の開示の一部の態様においては、ユーザーは、限定商品を特定の郵送先、例えば自宅住所に配送することを要求し得る。ユーザーは、追加的な配送情報を提供するための後続のユーザーインターフェイスへと誘導され得る。インターフェイスにおける情報の要求は、本発明から逸脱することなく、任意の所望の方法又はフォーマットにより、例えば、ドロップダウンリスト、アイコン、ボタンなどを介して、ユーザーに対して提供され得る。商品のサイズと店舗（例えば、又は、他の配送オプション）が選択された後で、ユーザーは、図２２Ｄに示されているインターフェイス内の「提出する」アイコンを選択することにより、予約リクエストを提出し得る。
【００９４】
図２３は、図２２Ａ〜図２２Ｄを参照しながら既に説明したようにユーザーが予約リクエストを提出した結果として表示され得る、インターフェイスの１つの例を図示している。インターフェイスは、ユーザーが、特定の商品に対する予約リクエストを既に提出したことを、その商品に関連付けられた表示エリアを視覚的に変化させることによって示し得る。例えば、図２３に図示されているように、ユーザーにより予約された商品に関連付けられた表示エリアが、部分的に不明瞭になる（例えば、半透明になる）ように変化させられ、ユーザーにより提出された予約リクエストが、商品予約システムにより受信されたことを示している。追加的に又は代替的に、ユーザーにより予約された商品に関連付けられた表示エリアは、いつユーザーが商品抽選の結果について通知を受ける予定であるかを示すメッセージ又は通知を示し得る。ユーザーは、インターフェイスをざっとスクロールして、ユーザーが商品抽選セッション中に予約リクエストを提出し得る、追加的な商品を選択し得る。例えば、図２４Ａ〜図２４Ｄは、ユーザーが図２３内で表示エリア２３１０に示されている限定商品を選択した結果として表示され得る、インターフェイスの例を図示している。
【００９５】
図２５Ａ及び図２５Ｂは、図２４Ａ〜図２４Ｄを参照しながら既に説明したようにユーザーが予約リクエストを提出した結果として表示され得る、インターフェイスの１つの例を図示している。一部の実施形態においては、インターフェイス画面に表示されているセッションタイマーが時間切れになると、ユーザーは、商品抽選セッションが終了した旨を示すユーザーインターフェイス画面に誘導され得る。例えば、図２５Ｃに図示されているように、インターフェイスは、商品抽選セッションが閉鎖された旨を示すメッセージをユーザーに対して表示する。
【００９６】
結論
本発明は、本発明を実施する目下のところ好ましいモードを含む具体的な実施例に関して説明されているが、当業者は、前述のシステム及び技術の数多くの変形及び置換が本発明から逸脱することなく行われることがあることを理解するであろう。例えば、システム、方法、及び／又はインターフェイスは、前述されたものより多く、より少ない、及び／又は異なった機能を含むことがあり、システム、方法、及び／又はインターフェイスの様々な特徴は、前述の方法とは異なる様々な方法で（例えば、異なったタイプのインターフェイス要素を使用して）作動される、又は、相互作用させられることがある。さらに、様々な工程ステップは、本発明から逸脱することなく、変更されること、順序が変更されること、一部が省略されること、及び／又は、付加的なステップ又は特徴を含むことがある。システム、方法、及びユーザーインターフェイスに対する様々な変更及び修正は、特許請求の範囲に記載された本発明の趣旨及び範囲から逸脱することなく行われることがある。
【図１】
0006570642.tif 000002
【図２】
0006570642.tif 000003
【図３】
0006570642.tif 000004
【図４】
0006570642.tif 000005
【図５】
0006570642.tif 000006
【図６】
0006570642.tif 000007
【図７】
0006570642.tif 000008
【図８】
0006570642.tif 000009
【図９】
0006570642.tif 000010
【図１０Ａ】
0006570642.tif 000011
【図１０Ｂ】
0006570642.tif 000012
【図１１】
0006570642.tif 000013
【図１２】
0006570642.tif 000014
【図１３】
0006570642.tif 000015
【図１４】
0006570642.tif 000016
【図１５】
0006570642.tif 000017
【図１６Ａ】
0006570642.tif 000018
【図１６Ｂ】
0006570642.tif 000019
【図１７】
0006570642.tif 000020
【図１８Ａ】
0006570642.tif 000021
【図１８Ｂ】
0006570642.tif 000022
【図１８Ｃ】
0006570642.tif 000023
【図１９Ａ】
0006570642.tif 000024
【図１９Ｂ】
0006570642.tif 000025
【図１９Ｃ】
0006570642.tif 000026
【図１９Ｄ】
0006570642.tif 000027
【図１９Ｅ】
0006570642.tif 000028
【図２０】
0006570642.tif 000029
【図２１】
0006570642.tif 000030
【図２２Ａ】
0006570642.tif 000031
【図２２Ｂ】
0006570642.tif 000032
【図２２Ｃ】
0006570642.tif 000033
【図２２Ｄ】
0006570642.tif 000034
【図２３】
0006570642.tif 000035
【図２４Ａ】
0006570642.tif 000036
【図２４Ｂ】
0006570642.tif 000037
【図２４Ｃ】
0006570642.tif 000038
【図２４Ｄ】
0006570642.tif 000039
【図２５Ａ】
0006570642.tif 000040
【図２５Ｂ】
0006570642.tif 000041
【図２５Ｃ】
0006570642.tif 000042